(57)【要約】  本開示は、ネットワークスライス選択方法、装置及びシステムを提供する。本方法は、スライス選択制御機能エンティティが、スライス選択ポリシー、ユーザ加入情報、ネットワークスライス選択支援パラメータ、およびユーザコンテキストのうち１つまたは複数を取得するステップと、スライス選択制御機能エンティティが、スライス選択ポリシー、ユーザ加入情報、ネットワークスライス選択支援パラメータおよびユーザコンテキストのうち１つまたは複数に基づいて、ネットワークスライス選択情報を決定し、決定されたネットワークスライス選択情報をスライスルーティング機能エンティティに送信することにより、スライスルーティング機能エンティティによってシグナリングまたはデータルーティングを実行するステップとを含む。
2019520763.tif 000002
【特許請求の範囲】
【請求項１】
スライス選択制御機能エンティティが、スライス選択ポリシー、ユーザ加入情報、ネットワークスライス選択支援パラメータ、およびユーザコンテキストのうち１つまたは複数を取得するステップと、
前記スライス選択制御機能エンティティが、スライス選択ポリシー、ユーザ加入情報、ネットワークスライス選択支援パラメータおよびユーザコンテキストのうち１つまたは複数に基づいて、ネットワークスライス選択情報を決定し、決定された前記ネットワークスライス選択情報をスライスルーティング機能エンティティまたはアクセスネットワーク側デバイスに送信することにより、前記スライスルーティング機能エンティティまたはアクセスネットワーク側デバイスによってシグナリングまたはデータルーティングを実行するステップとを含む
ことを特徴とするネットワークスライス選択方法。
【請求項２】
請求項１に記載のネットワークスライス選択方法において、
前記スライス選択制御機能エンティティがネットワークスライス選択支援パラメータおよび/またはユーザコンテキストを取得するとは、前記スライス選択制御機能エンティティがスライスルーティング機能エンティティまたはアクセスネットワークによって送信された、ネットワークスライス選択支援パラメータおよび/またはユーザコンテキストが添付された付着要求を受信することであり、
前記スライス選択制御機能エンティティがスライス選択ポリシーを取得するとは、前記スライス選択制御機能エンティティが第５世代移動通信網５Ｇポリシーネットワーク機能エンティティからスライス選択ポリシーを取得することであり
前記スライス選択制御機能エンティティがユーザ加入情報を取得するとは、前記スライス選択制御機能エンティティが加入データベースからユーザ加入情報を取得することである
ことを特徴とするネットワークスライス選択方法。
【請求項３】
請求項１あるいは２に記載のネットワークスライス選択方法において、
前記スライスルーティング機能エンティティは、アクセスネットワーク側、コアネットワーク側、またはコアネットワークとアクセスネットワークとの間に配置されるか、あるいはスライス選択制御機能エンティティと結合されており、前記スライス選択制御機能エンティティは、アクセスネットワークまたはコアネットワークに配置されるか、またはアクセスネットワークおよびコアネットワークとは独立したネットワーク機能エンティティである
ことを特徴とするネットワークスライス選択方法。
【請求項４】
請求項１に記載のネットワークスライス選択方法において、
前記ネットワークスライス選択支援パラメータは、ネットワークスライス識別子、サービスタイプ、ネットワークスライス記述シンボル、端末利用タイプ、およびテナント識別子の１つまたは複数である
ことを特徴とするネットワークスライス選択方法。
【請求項５】
請求項４に記載のネットワークスライス選択方法において、
前記ネットワークスライス識別子は、ネットワークスライスタイプ識別子および/またはネットワークスライスインスタンス識別子を含む
ことを特徴とするネットワークスライス選択方法。
【請求項６】
請求項１に記載のネットワークスライス選択方法において、
前記ネットワークスライス選択情報は、ユーザによってアクセスされるネットワークスライスの制御プレーン機能の識別子または制御プレーン機能の集合の識別子である
ことを特徴とするネットワークスライス選択方法。
【請求項７】
請求項６に記載のネットワークスライス選択方法において、
前記ネットワークスライスの制御プレーン機能の識別子または制御プレーン機能の集合の識別子は、ネットワークスライスのネットワークスライス識別子に対応する
ことを特徴とするネットワークスライス選択方法。
【請求項８】
スライスルーティング機能エンティティまたはアクセスネットワーク側デバイスが、スライス選択ポリシー、ユーザ加入情報、ネットワークスライス選択支援パラメータおよびユーザコンテキストのうち１つまたは複数に基づいてスライス選択制御機能エンティティによって決定し送信されたネットワークスライス選択情報を受信するステップと、
前記スライスルーティング機能エンティティまたはアクセスネットワーク側デバイスが、ネットワークスライス選択情報に従ってシグナリングまたはデータルーティングを実行するステップとを含む
ことを特徴とするネットワークスライス選択方法。
【請求項９】
請求項８に記載のネットワークスライス選択方法において、
前記スライスルーティング機能エンティティまたはアクセスネットワーク側デバイスが、ネットワークスライス識別子を端末に送信することにより、受信したネットワークスライス識別子に従って、記憶されたネットワークスライス識別子を前記端末によって更新するステップをさらに含む
ことを特徴とするネットワークスライス選択方法。
【請求項１０】
請求項８に記載のネットワークスライス選択方法において、
前記ネットワークスライス選択支援パラメータおよび/またはユーザコンテキストは、受信した付着要求から前記スライス選択制御機能エンティティによって受信され、
前記スライス選択ポリシーは、第５世代移動通信網５Ｇポリシーネットワーク機能エンティティから前記スライス選択制御機能エンティティによって取得され、
前記ユーザ加入情報は、加入データベースから前記スライス選択制御機能エンティティによって取得される
ことを特徴とするネットワークスライス選択方法。
【請求項１１】
請求項８に記載のネットワークスライス選択方法において、
前記スライスルーティング機能エンティティは、アクセスネットワーク側、コアネットワーク側、またはコアネットワークとアクセスネットワークとの間に配置されるか、あるいはスライス選択制御機能エンティティと結合されており、前記スライス選択制御機能エンティティは、アクセスネットワークまたはコアネットワークに配置されるか、またはアクセスネットワークおよびコアネットワークとは独立したネットワーク機能エンティティである
ことを特徴とするネットワークスライス選択方法。
【請求項１２】
請求項８に記載のネットワークスライス選択方法において、
前記ネットワークスライス選択支援パラメータは、ネットワークスライス識別子、サービスタイプ、ネットワークスライス記述シンボル、端末利用タイプ、およびテナント識別子の１つまたは複数である
ことを特徴とするネットワークスライス選択方法。
【請求項１３】
請求項１２に記載のネットワークスライス選択方法において、
前記ネットワークスライス識別子は、ネットワークスライスタイプ識別子および/またはネットワークスライスインスタンス識別子を含む
ことを特徴とするネットワークスライス選択方法。
【請求項１４】
請求項８に記載のネットワークスライス選択方法において、
前記ネットワークスライス選択情報は、ユーザによってアクセスされるネットワークスライスの制御プレーン機能の識別子または制御プレーン機能の集合の識別子である
ことを特徴とするネットワークスライス選択方法。
【請求項１５】
請求項１４に記載のネットワークスライス選択方法において、
前記ネットワークスライスの制御プレーン機能の識別子または制御プレーン機能の集合の識別子は、ネットワークスライスのネットワークスライス識別子に対応する
ことを特徴とするネットワークスライス選択方法。
【請求項１６】
請求項８に記載のネットワークスライス選択方法において、
前記スライスルーティング機能エンティティまたはアクセスネットワーク側デバイスが、ネットワークスライス選択支援パラメータまたはネットワークスライス識別子とネットワークスライス選択情報との対応関係を記録したネットワークスライス選択対応関係テーブルを前記スライス選択制御機能エンティティから取得するステップをさらに含む
ことを特徴とするネットワークスライス選択方法。
【請求項１７】
請求項１６に記載のネットワークスライス選択方法において、
前記スライスルーティング機能エンティティまたはアクセスネットワーク側デバイスが、ネットワークスライス選択支援パラメータが添付された付着要求を受信するステップと、
前記スライスルーティング機能エンティティまたはアクセスネットワーク側デバイスが、前記ネットワークスライス選択対応関係テーブルおよび前記ネットワークスライス選択支援パラメータに基づいて、ネットワークスライス選択情報を決定するステップと、
前記スライスルーティング機能エンティティまたはアクセスネットワーク側デバイスが、ネットワークスライス選択情報に基づいてシグナリングまたはデータルーティングを実行するステップとをさらに含む
ことを特徴とするネットワークスライス選択方法。
【請求項１８】
請求項１６に記載のネットワークスライス選択方法において、
前記スライスルーティング機能エンティティまたはアクセスネットワーク側デバイスが、新しいネットワークスライス選択支援パラメータとネットワークスライス選択情報との対応関係を前記スライス選択制御機能エンティティから取得するステップと、
前記スライスルーティング機能エンティティまたはアクセスネットワーク側デバイスが、新しいネットワークスライス選択支援パラメータとネットワークスライス選択情報との対応関係を用いて、前記ネットワークスライス選択対応関係テーブルを更新するステップとをさらに含む
ことを特徴とするネットワークスライス選択方法。
【請求項１９】
請求項１６に記載のネットワークスライス選択方法において、
付着エラー情報を前記スライスルーティング機能エンティティまたはアクセスネットワーク側デバイスによって受信した場合、前記スライスルーティング機能エンティティまたはアクセスネットワーク側デバイスが、前記スライス選択制御機能エンティティに前記ネットワークスライス選択支援パラメータを再送信することにより、正しいネットワークスライス選択情報を取得するステップをさらに含む
ことを特徴とするネットワークスライス選択方法。
【請求項２０】
請求項８に記載のネットワークスライス選択方法において、
前記スライスルーティング機能エンティティまたはアクセスネットワーク側デバイスは、端末がネットワークスライスをサポートするかどうかを識別する機能を有する
ことを特徴とするネットワークスライス選択方法。
【請求項２１】
請求項２０に記載のネットワークスライス選択方法において、
ネットワークスライスが前記端末によってサポートされておらず、端末に持たれたメッセージにネットワークスライス選択支援パラメータのフィールドが存在しない場合、前記スライスルーティング機能エンティティまたはアクセスネットワーク側デバイスは、シグナリングを前記スライス選択制御機能エンティティに転送することにより、前記スライス選択制御機能エンティティによって、ネットワークスライスへのアクセス、またはアクセスされたネットワークスライスの制御プレーン機能を端末に通知する；
ネットワークスライスが前記端末によってサポートされており、端末に持たれたメッセージにネットワークスライス選択支援パラメータのフィールドが存在する場合、このフィールドは、空であるか、ネットワークスライス選択支援パラメータの記述を含んでいる
ことを特徴とするネットワークスライス選択方法。
【請求項２２】
請求項８に記載のネットワークスライス選択方法において、
前記スライスルーティング機能エンティティまたはアクセスネットワーク側デバイスが、ユーザを対応するネットワークスライスにルーティングし、ユーザのネットワークスライスへのアクセスの認証および認可を選択されたネットワークスライスの制御プレーン機能によって実行するステップをさらに含む
ことを特徴とするネットワークスライス選択方法。
【請求項２３】
請求項２２に記載のネットワークスライス選択方法において、
ユーザのネットワークスライスへのアクセスの認証および認可を選択されたネットワークスライスの制御プレーン機能によって実行するステップは、
ネットワークスライスの制御プレーン機能が認証要求を送信したとき、現在の公衆陸上モバイルネットワークＰＬＭＮ下のユーザ加入情報を加入データベースからネットワークスライスの制御プレーン機能にフィードバックし、ネットワークスライスの制御プレーン機能によって、ユーザ加入情報に従って、ユーザの選択された制御プレーン機能へのアクセスが可能か否かを判定し、ユーザのネットワークスライスへのアクセスの認証および認可を完成させるステップを含む
ことを特徴とするネットワークスライス選択方法。
【請求項２４】
スライス選択ポリシー、ユーザ加入情報、ネットワークスライス選択支援パラメータ、およびユーザコンテキストのうち１つまたは複数を取得する第１受信モジュールと、
前記スライス選択ポリシー、ユーザ加入情報、ネットワークスライス選択支援パラメータおよびユーザコンテキストのうち１つまたは複数に基づいて、ネットワークスライス選択情報を決定し、決定された前記ネットワークスライス選択情報を前記スライスルーティング機能エンティティに送信することにより、前記スライスルーティング機能エンティティによってシグナリングまたはデータルーティングを実行する第１決定モジュールとを備える
ことを特徴とするスライス選択制御機能エンティティ。
【請求項２５】
請求項２４に記載のスライス選択制御機能エンティティにおいて、
前記第１受信モジュールは具体的に、
スライスルーティング機能エンティティまたはアクセスネットワークによって送信された、ネットワークスライス選択支援パラメータおよび/またはユーザコンテキストが添付された付着要求を受信し、
第５世代移動通信網５Ｇポリシーネットワーク機能エンティティからスライス選択ポリシーを取得し、
加入データベースからユーザ加入情報を取得する
ことを特徴とするスライス選択制御機能エンティティ。
【請求項２６】
請求項２４に記載のスライス選択制御機能エンティティにおいて、
前記スライスルーティング機能エンティティは、アクセスネットワーク側、コアネットワーク側、またはコアネットワークとアクセスネットワークとの間に配置されるか、あるいはスライス選択制御機能エンティティと結合されており、
前記スライス選択制御機能エンティティは、アクセスネットワークまたはコアネットワークに配置されるか、またはアクセスネットワークおよびコアネットワークとは独立したネットワーク機能エンティティである
ことを特徴とするスライス選択制御機能エンティティ。
【請求項２７】
請求項２４に記載のスライス選択制御機能エンティティにおいて、
前記ネットワークスライス選択支援パラメータは、ネットワークスライス識別子、サービスタイプ、ネットワークスライス記述シンボル、端末利用タイプ、およびテナント識別子の１つまたは複数である
ことを特徴とするスライス選択制御機能エンティティ。
【請求項２８】
請求項２４に記載のスライス選択制御機能エンティティにおいて、
前記ネットワークスライス識別子は、ネットワークスライスタイプ識別子および/またはネットワークスライスインスタンス識別子を含む
ことを特徴とするスライス選択制御機能エンティティ。
【請求項２９】
請求項２４に記載のスライス選択制御機能エンティティにおいて、
前記ネットワークスライス選択情報は、ユーザによってアクセスされたネットワークスライスの制御プレーン機能の識別子または制御プレーン機能の集合の識別子である
ことを特徴とするスライス選択制御機能エンティティ。
【請求項３０】
ネットワークスライス選択装置において、
スライス選択ポリシー、ユーザ加入情報、ネットワークスライス選択支援パラメータおよびユーザコンテキストのうち１つまたは複数に基づいてスライス選択制御機能エンティティによって決定し送信されたネットワークスライス選択情報を受信する第２受信モジュールと、
前記ネットワークスライス選択情報に従ってシグナリングまたはデータルーティングを実行する第１処理モジュールとを備える
ことを特徴とするネットワークスライス選択装置。
【請求項３１】
請求項３０に記載のネットワークスライス選択装置において、
ネットワークスライス識別子を端末に送信することにより、受信したネットワークスライス識別子に従って、記憶されたネットワークスライス識別子を前記端末によって更新する第１送信モジュールをさらに備える
ことを特徴とするネットワークスライス選択装置。
【請求項３２】
請求項３０に記載のネットワークスライス選択装置において、
前記ネットワークスライス選択支援パラメータおよび/またはユーザコンテキストは、受信した付着要求から前記スライス選択制御機能エンティティによって受信され、
前記スライス選択ポリシーは、第５世代移動通信網５Ｇポリシーネットワーク機能エンティティから前記スライス選択制御機能エンティティによって取得され、
前記ユーザ加入情報は、加入データベースから前記スライス選択制御機能エンティティによって取得される
ことを特徴とするネットワークスライス選択装置。
【請求項３３】
請求項３０に記載のネットワークスライス選択装置において、
前記ネットワークスライス選択装置は、アクセスネットワーク側、コアネットワーク側、またはコアネットワークとアクセスネットワークとの間に配置されるか、あるいはスライス選択制御機能エンティティと結合されるスライスルーティング機能エンティティであり、
前記スライス選択制御機能エンティティは、アクセスネットワークまたはコアネットワークに配置されるか、またはアクセスネットワークおよびコアネットワークとは独立したネットワーク機能エンティティである
ことを特徴とするネットワークスライス選択装置。
【請求項３４】
請求項３０に記載のネットワークスライス選択装置において、
前記ネットワークスライス選択支援パラメータは、ネットワークスライス識別子、サービスタイプ、ネットワークスライス記述シンボル、端末利用タイプ、およびテナント識別子の１つまたは複数である
ことを特徴とするネットワークスライス選択装置。
【請求項３５】
請求項３４に記載のネットワークスライス選択装置において、
前記ネットワークスライス識別子は、ネットワークスライスタイプ識別子および/またはネットワークスライスインスタンス識別子を含む
ことを特徴とするネットワークスライス選択装置。
【請求項３６】
請求項３０に記載のネットワークスライス選択装置において、
前記ネットワークスライス選択情報は、ユーザによってアクセスされるネットワークスライスの制御プレーン機能の識別子または制御プレーン機能の集合の識別子である
ことを特徴とするネットワークスライス選択装置。
【請求項３７】
請求項３６に記載のネットワークスライス選択装置において、
前記ネットワークスライスの制御プレーン機能の識別子または制御プレーン機能の集合の識別子は、前記ネットワークスライスのネットワークスライス識別子に対応する
ことを特徴とするネットワークスライス選択装置。
【請求項３８】
請求項３０に記載のネットワークスライス選択装置において、
ネットワークスライス選択支援パラメータまたはネットワークスライス識別子とネットワークスライス選択情報との対応関係を記録したネットワークスライス選択対応関係テーブルを前記スライス選択制御機能エンティティから取得する記憶モジュールをさらに備える
ことを特徴とするネットワークスライス選択装置。
【請求項３９】
請求項３８に記載のネットワークスライス選択装置において、
ネットワークスライス選択支援パラメータが添付された付着要求を受信する第３受信モジュールと、
前記ネットワークスライス選択対応関係テーブルおよび前記ネットワークスライス選択支援パラメータに基づいて、ネットワークスライス選択情報を決定する第２決定モジュールと、
前記ネットワークスライス選択情報に基づいてシグナリングまたはデータルーティングを実行する第２処理モジュールとをさらに備える
ことを特徴とするネットワークスライス選択装置。
【請求項４０】
請求項３９に記載のネットワークスライス選択装置において、
新しいネットワークスライス選択支援パラメータとネットワークスライス選択情報との対応関係を前記スライス選択制御機能エンティティから取得する第４受信モジュールと、
新しいネットワークスライス選択支援パラメータとネットワークスライス選択情報との対応関係を用いて、前記ネットワークスライス選択対応関係テーブルを更新する更新モジュールとをさらに備える
ことを特徴とするネットワークスライス選択装置。
【請求項４１】
請求項３８に記載のネットワークスライス選択装置において、
付着エラー情報を受信した場合、スライス選択制御機能エンティティにネットワークスライス選択支援パラメータを再送することにより、正しいスライス選択情報を取得する再送モジュールを備える
ことを特徴とするネットワークスライス選択装置。
【請求項４２】
ローミングシナリオに適用するネットワークスライス選択方法であって、
ネットワークスライスタイプ識別子およびネットワークスライスインスタンス識別子を含むネットワークスライス識別子を取得するステップと、
ネットワークスライスタイプ識別子に基づいて、対応する公衆地上モバイルネットワークＰＬＭＮを識別するステップと、
前記ネットワークスライスインスタンス識別子に基づいて、ユーザを前記ネットワークスライスインスタンス識別子に対応するネットワークスライスにアクセスさせるステップと、を含む
ことを特徴とするネットワークスライス選択方法。
【請求項４３】
請求項４２に記載のネットワークスライス選択方法において、
前記ネットワークスライスタイプ識別子に基づいて対応する公衆地上モバイルネットワークＰＬＭＮを識別するステップは、
前記ネットワークスライスタイプ識別子に基づいて、オペレータおよびネットワークタイプを確定するステップと、
確定されたオペレータおよびネットワークタイプに従って、対応するＰＬＭＮを選択するステップとを含む
ことを特徴とするネットワークスライス選択方法。
【請求項４４】
ネットワークスライスタイプ識別子およびネットワークスライスインスタンス識別子を含むネットワークスライス識別子を取得する取得モジュールと、
前記ネットワークスライスタイプ識別子に基づいて、対応する公衆地上モバイルネットワークＰＬＭＮを識別する選択モジュールと、
前記ネットワークスライスインスタンス識別子に基づいて、ユーザを前記ネットワークスライスインスタンス識別子に対応するネットワークスライスにアクセスさせるアクセスモジュールと、を備える
ことを特徴とするネットワークスライス選択装置。
【請求項４５】
請求項４４に記載のネットワークスライス選択装置において、
前記選択モジュールはさらに、前記ネットワークスライスタイプ識別子に基づいて、オペレータおよびネットワークタイプを確定し、確定されたオペレータおよびネットワークタイプに従って、対応するＰＬＭＮを選択する
ことを特徴とするネットワークスライス選択装置。
【請求項４６】
端末に持たれたメッセージにネットワークスライス選択支援パラメータのフィールドが存在しない場合、スライスルーティング機能エンティティまたはアクセスネットワーク側デバイスが、前記端末に持たれたメッセージをスライス選択制御機能エンティティに送信することにより、スライス選択制御機能エンティティによって、端末に適切なネットワークスライスを選択して、スライスルーティング機能エンティティまたはアクセスネットワーク側デバイスに送信するステップと、
前記スライスルーティング機能エンティティまたはアクセスネットワーク側デバイスが、前記スライスルーティング機能エンティティまたはアクセスネットワーク側デバイスによって選択されたネットワークスライスのネットワークスライス識別子を前記端末に送信し、前記端末によって付着要求を再送するステップと、を含む
ことを特徴とするネットワークスライス選択方法。
【請求項４７】
端末に持たれたメッセージにネットワークスライス選択支援パラメータのフィールドが存在しない場合、端末に持たれたメッセージをスライス選択制御機能エンティティに送信することにより、前記スライス選択制御機能エンティティによって、前記端末に適切なネットワークスライスを選択して、前記スライスルーティング機能エンティティまたはアクセスネットワーク側デバイスに送信する第２送信モジュールと、
前記スライスルーティング機能エンティティまたはアクセスネットワーク側デバイスによって選択されたネットワークスライスのネットワークスライス識別子を前記端末に送信し、前記端末によって付着要求を再送する第３処理モジュールと、を備える
ことを特徴とするネットワークスライス選択装置。
【請求項４８】
エンドツーエンドスライス管理および編成機能エンティティが、新たなネットワークスライスを追加するコマンド、ネットワークスライスを削除するコマンド、およびネットワークスライス識別子を更新するコマンドのいずれか１つの制御コマンドを送信するステップと、
前記エンドツーエンドスライス管理および編成機能エンティティが、対応関係の更新メッセージをスライス選択制御機能エンティティに送信することにより、前記スライス選択制御機能エンティティによって、ネットワークスライス識別子とネットワークスライスの制御プレーン機能の識別子またはネットワークスライスの制御プレーン機能の集合の識別子との対応関係を更新するステップと、を含む
ことを特徴とするネットワークスライス選択方法。
【請求項４９】
新たなネットワークスライスを追加するコマンド、ネットワークスライスを削除するコマンド、およびネットワークスライス識別子を更新するコマンドのいずれか１つの制御コマンドを送信する第３送信モジュールと、
対応関係の更新メッセージをスライス選択制御機能エンティティに送信することにより、前記スライス選択制御機能エンティティによって、ネットワークスライス識別子とネットワークスライスの制御プレーン機能の識別子またはネットワークスライスの制御方機能の集合の識別子との対応関係を更新する第４送信モジュールと、を備える
ことを特徴とするネットワークスライス選択装置。
【請求項５０】
請求項２４〜２９に記載のスライス選択制御機能エンティティ、または
請求項３０〜４１に記載のネットワークスライス選択装置、または、
請求項４４〜４５に記載のネットワークスライス選択装置、または、
請求項４７に記載のネットワークスライス選択装置、または、
請求項４９に記載のネットワークスライス選択装置、を備える
ことを特徴とするシステム。
【発明の詳細な説明】
【技術分野】
【０００１】
本出願は、２０１６年７月４日に出願された中国特許出願第２０１６１０５１８０９４．０号の優先権を主張する。その全ての内容は、参照により本明細書に組み込まれる。
本開示は、通信技術の分野に関し、特に、ネットワークスライス選択方法、装置、およびシステムに関する。
【背景技術】
【０００２】
モバイルネットワークは、低電力の大規模接続、大容量ホットスポット、連続した広域カバレッジ、低レイテンシおよび高信頼性などの多様なビジネスシナリオに対応する必要がある。現在のモバイルネットワークは、一連の論理アーキテクチャに基づいて、さまざまなアプリケーションシナリオに対応している。 ＭＭＥ（Mobility Management Entity）には一定の知能があり、ユーザの加入およびサービス識別子に基づいてゲートウェイ選択を実行できる。基地局は、ＭＭＥ負荷の重みに基づいてＭＭＥを選択することができる。しかし、このような方案は、今後のネットワーク上の様々なビジネスシナリオ（例えば、モノのインターネットや低レイテンシなど）に適応することが困難であるうえで、アーキテクチャが簡単で、柔軟性を欠如するため、低コストで多様なネットワークニーズへの適応が難しい。さらに、１つだけのネットワーク要素の障害は、他のサービスの動作に影響する可能性がある。
【０００３】
モバイルネットワークでは、またサービス識別子として使用可能なアクセスポイント名（ＡＰＮ、Access Point Name）を介してゲートウェイ（汎用パケット無線サービス（ＧＰＲＳ）ゲートウェイサポートノードＧＧＳＮや、公衆データネットワークＰＤＮゲートウェイ（ＰＧＷ）など）を選択することもできる。しかし、ＡＰＮに基づいたネットワーク接続の管理によっては、依然としてエンドツーエンドビジネス指向のネットワークを構築することができず、ネットワーク要素を効果的に分離できず、またサービスをＡＰＮ粒度で区別すると精細かつ柔軟に配置ことができないという問題がある。
【０００４】
ネットワークスライスは、上記の問題を解決するために提案された技術である。ネットワークスライスによって、関連する物理ネットワークリソースが論理的に異なるネットワークに分割され、異なるビジネスシナリオのための専用ネットワークと類似なサービスが提供される。
【０００５】
しかしながら、これまでは、有効なネットワークスライス選択のための解決方案は提案されていなかった。
【発明の概要】
【０００６】
上記技術的課題に鑑みて、本発明は、従来技術においてネットワークスライスを柔軟に選択できないという技術的課題を解決したネットワークスライス選択方法、装置及びシステムを提供することを目的とする。
【課題を解決するための手段】
【０００７】
本発明の一態様によれば、ネットワークスライス選択方法が提供される。本方法は、スライス選択制御機能エンティティが、スライス選択ポリシー、ユーザ加入情報、ネットワークスライス選択支援パラメータ、およびユーザコンテキストのうち１つまたは複数を取得するステップと、前記スライス選択制御機能エンティティが、スライス選択ポリシー、ユーザ加入情報、ネットワークスライス選択支援パラメータおよびユーザコンテキストのうち１つまたは複数に基づいて、ネットワークスライス選択情報を決定し、決定されたネットワークスライス選択情報をスライスルーティング機能エンティティまたはアクセスネットワーク側デバイスに送信することにより、前記スライスルーティング機能エンティティまたはアクセスネットワーク側デバイスによってシグナリングまたはデータルーティングを実行するステップとを含む。
【０００８】
オプションとして、前記スライス選択制御機能エンティティがネットワークスライス選択支援パラメータおよび/またはユーザコンテキストを取得するとは、前記スライス選択制御機能エンティティがスライスルーティング機能エンティティまたはアクセスネットワークによって送信された、ネットワークスライス選択支援パラメータおよび/またはユーザコンテキストが添付された付着要求を受信することである；前記スライス選択制御機能エンティティがスライス選択ポリシーを取得するとは、前記スライス選択制御機能エンティティが第５世代移動通信網５Ｇポリシーネットワーク機能エンティティからスライス選択ポリシーを取得することである；前記スライス選択制御機能エンティティがユーザ加入情報を取得するとは、前記スライス選択制御機能エンティティが加入データベースからユーザ加入情報を取得することである。
【０００９】
オプションとして、前記スライスルーティング機能エンティティは、アクセスネットワーク側、コアネットワーク側、またはコアネットワークとアクセスネットワークとの間に配置されるか、あるいはスライス選択制御機能エンティティと結合されており、前記スライス選択制御機能エンティティは、アクセスネットワークまたはコアネットワークに配置されるか、またはアクセスネットワークおよびコアネットワークとは独立したネットワーク機能エンティティである。
【００１０】
オプションとして、前記ネットワークスライス選択支援パラメータは、ネットワークスライス識別子、サービスタイプ、ネットワークスライス記述シンボル、端末利用タイプ、およびテナント識別子の１つまたは複数である。
【００１１】
オプションとして、前記ネットワークスライス識別子は、ネットワークスライスタイプ識別子および/またはネットワークスライスインスタンス識別子を含む。
【００１２】
オプションとして、前記ネットワークスライス選択情報は、ユーザによってアクセスされるネットワークスライスの制御プレーン機能の識別子または制御プレーン機能の集合の識別子である。
【００１３】
オプションとして、前記ネットワークスライスの制御プレーン機能の識別子または制御プレーン機能の集合の識別子は、ネットワークスライスのネットワークスライス識別子に対応する。
【００１４】
本発明の第２の態様によれば、ネットワークスライス選択方法が提供される。この方法は、スライスルーティング機能エンティティまたはアクセスネットワーク側デバイスが、スライス選択ポリシー、ユーザ加入情報、ネットワークスライス選択支援パラメータおよびユーザコンテキストのうち１つまたは複数に基づいてスライス選択制御機能エンティティによって決定し送信されたネットワークスライス選択情報を受信するステップと、前記スライスルーティング機能エンティティまたはアクセスネットワーク側デバイスが、ネットワークスライス選択情報に従ってシグナリングまたはデータルーティングを実行するステップとを含む。
【００１５】
オプションとして、この方法は、前記スライスルーティング機能エンティティまたはアクセスネットワーク側デバイスが、ネットワークスライス識別子を端末に送信することにより、受信したネットワークスライス識別子に従って、記憶されたネットワークスライス識別子を前記端末によって更新するステップをさらに含む。
【００１６】
オプションとして、前記ネットワークスライス選択支援パラメータおよび/またはユーザコンテキストは、受信した付着要求から前記スライス選択制御機能エンティティによって受信される；前記スライス選択ポリシーは、第５世代移動通信網５Ｇポリシーネットワーク機能エンティティから前記スライス選択制御機能エンティティによって取得される；前記ユーザ加入情報は、加入データベースから前記スライス選択制御機能エンティティによって取得される。
【００１７】
オプションとして、前記スライスルーティング機能エンティティは、アクセスネットワーク側、コアネットワーク側、またはコアネットワークとアクセスネットワークとの間に配置されるか、あるいはスライス選択制御機能エンティティと結合されており、前記スライス選択制御機能エンティティは、アクセスネットワークまたはコアネットワークに配置されるか、またはアクセスネットワークおよびコアネットワークとは独立したネットワーク機能エンティティである。
【００１８】
オプションとして、前記ネットワークスライス選択支援パラメータは、ネットワークスライス識別子、サービスタイプ、ネットワークスライス記述シンボル、端末利用タイプ、およびテナント識別子の１つまたは複数である。
【００１９】
オプションとして、前記ネットワークスライス識別子は、ネットワークスライスタイプ識別子および/またはネットワークスライスインスタンス識別子を含む。
【００２０】
オプションとして、前記ネットワークスライス選択情報は、ユーザによってアクセスされるネットワークスライスの制御プレーン機能の識別子または制御プレーン機能の集合の識別子である。
【００２１】
オプションとして、前記ネットワークスライスの制御プレーン機能の識別子または制御プレーン機能の集合の識別子は、前記ネットワークスライスのネットワークスライス識別子に対応する。
【００２２】
オプションとして、本方法は、前記スライスルーティング機能エンティティまたはアクセスネットワーク側デバイスが、ネットワークスライス選択支援パラメータまたはネットワークスライス識別子とネットワークスライス選択情報との対応関係を記録したネットワークスライス選択対応関係テーブルを前記スライス選択制御機能エンティティから取得するステップをさらに含む。
【００２３】
オプションとして、本方法は、前記スライスルーティング機能エンティティまたはアクセスネットワーク側デバイスが、ネットワークスライス選択支援パラメータが添付された付着要求を受信するステップと、前記スライスルーティング機能エンティティまたはアクセスネットワーク側デバイスが、前記ネットワークスライス選択対応関係テーブルおよび前記ネットワークスライス選択支援パラメータに基づいて、ネットワークスライス選択情報を決定するステップと、前記スライスルーティング機能エンティティまたはアクセスネットワーク側デバイスが、ネットワークスライス選択情報に基づいてシグナリングまたはデータルーティングを実行するステップとをさらに含む。
【００２４】
オプションとして、本方法は、前記スライスルーティング機能エンティティまたはアクセスネットワーク側デバイスが、新しいネットワークスライス選択支援パラメータとネットワークスライス選択情報との対応関係を前記スライス選択制御機能エンティティから取得するステップと、前記スライスルーティング機能エンティティまたはアクセスネットワーク側デバイスが、新しいネットワークスライス選択支援パラメータとネットワークスライス選択情報との対応関係を用いて、前記ネットワークスライス選択対応関係テーブルを更新するステップとをさらに含む。
【００２５】
オプションとして、本方法は、付着エラー情報を前記スライスルーティング機能エンティティまたはアクセスネットワーク側デバイスによって受信した場合、前記スライスルーティング機能エンティティまたはアクセスネットワーク側デバイスが、前記スライス選択制御機能エンティティに前記ネットワークスライス選択支援パラメータを再送信することにより、正しいネットワークスライス選択情報を取得するステップをさらに含む。
【００２６】
オプションとして、前記スライスルーティング機能エンティティまたはアクセスネットワーク側デバイスは、端末がネットワークスライスをサポートするかどうかを識別する機能を有する。
【００２７】
オプションとして、ネットワークスライスが前記端末によってサポートされておらず、端末に持たれたメッセージにネットワークスライス選択支援パラメータのフィールドが存在しない場合、前記スライスルーティング機能エンティティまたはアクセスネットワーク側デバイスは、シグナリングを前記スライス選択制御機能エンティティに転送することにより、前記スライス選択制御機能エンティティによって、ネットワークスライスへのアクセス、またはアクセスされたネットワークスライスの制御プレーン機能を端末に通知する；ネットワークスライスが前記端末によってサポートされており、端末に持たれたメッセージにネットワークスライス選択支援パラメータのフィールドが存在する場合、このフィールドは、空（ＮＵＬＬ）であるか、スライス選択支援パラメータの記述を含んでいる。
【００２８】
オプションとして、本方法は、前記スライスルーティング機能エンティティまたはアクセスネットワーク側デバイスが、ユーザを対応するネットワークスライスにルーティングし、ユーザのネットワークスライスへのアクセスの認証および認可を選択されたネットワークスライスの制御プレーン機能によって実行するステップをさらに含む。
【００２９】
オプションとして、ユーザのネットワークスライスへのアクセスの認証および認可を選択されたネットワークスライスの制御プレーン機能によって実行するステップは、ネットワークスライスの制御プレーン機能が認証要求を送信したとき、現在の公衆陸上モバイルネットワークＰＬＭＮ下のユーザ加入情報を加入データベースからネットワークスライスの制御プレーン機能にフィードバックし、ネットワークスライスの制御プレーン機能によって、ユーザ加入情報に従って、ユーザの選択された制御プレーン機能へのアクセスが可能か否かを判定し、ユーザのネットワークスライスへのアクセスの認証および認可を完成させるステップを含む。
【００３０】
本開示の第３の態様によれば、スライス選択制御機能エンティティがさらに提供される。本機能エンティティは、スライス選択ポリシー、ユーザ加入情報、ネットワークスライス選択支援パラメータ、およびユーザコンテキストのうち１つまたは複数を取得する第１受信モジュールと、前記スライス選択ポリシー、ユーザ加入情報、ネットワークスライス選択支援パラメータおよびユーザコンテキストのうち１つまたは複数に基づいて、ネットワークスライス選択情報を決定し、決定された前記ネットワークスライス選択情報を前記スライスルーティング機能エンティティに送信することにより、前記スライスルーティング機能エンティティによってシグナリングまたはデータルーティングを実行する第１決定モジュールとを備える。
【００３１】
オプションとして、前記第１受信モジュールは具体的に、スライスルーティング機能エンティティまたはアクセスネットワークによって送信された、ネットワークスライス選択支援パラメータおよび/またはユーザコンテキストが添付された付着要求を受信し、第５世代移動通信網５Ｇポリシーネットワーク機能エンティティからスライス選択ポリシーを取得し、加入データベースからユーザ加入情報を取得する。
【００３２】
オプションとして、前記スライスルーティング機能エンティティは、アクセスネットワーク側、コアネットワーク側、またはコアネットワークとアクセスネットワークとの間に配置されるか、あるいはスライス選択制御機能エンティティと結合されており、前記スライス選択制御機能エンティティは、アクセスネットワークまたはコアネットワークに配置されるか、またはアクセスネットワークおよびコアネットワークとは独立したネットワーク機能エンティティである。
【００３３】
オプションとして、前記ネットワークスライス選択支援パラメータは、ネットワークスライス識別子、サービスタイプ、ネットワークスライス記述シンボル、端末利用タイプ、およびテナント識別子の１つまたは複数である。
【００３４】
オプションとして、前記ネットワークスライス識別子は、ネットワークスライスタイプ識別子および/またはネットワークスライスインスタンス識別子を含む。
【００３５】
オプションとして、前記ネットワークスライス選択情報は、ユーザによってアクセスされたネットワークスライスの制御プレーン機能の識別子または制御プレーン機能の集合の識別子である。
【００３６】
本発明の第４の態様によれば、ネットワークスライス選択装置が提供される。該装置は、スライス選択ポリシー、ユーザ加入情報、ネットワークスライス選択支援パラメータおよびユーザコンテキストのうち１つまたは複数に基づいてスライス選択制御機能エンティティによって決定し送信されたネットワークスライス選択情報を受信する第２受信モジュールと、前記ネットワークスライス選択情報に従ってシグナリングまたはデータルーティングを実行する第１処理モジュールとを備える。
【００３７】
オプションとして、この装置は、ネットワークスライス識別子を端末に送信することにより、受信したネットワークスライス識別子に従って記憶されたネットワークスライス識別子を前記端末によって更新する第１送信モジュールをさらに備える。
【００３８】
オプションとして、前記ネットワークスライス選択支援パラメータおよび/またはユーザコンテキストは、受信した付着要求から前記スライス選択制御機能エンティティによって受信される；前記スライス選択ポリシーは、第５世代移動通信網５Ｇポリシーネットワーク機能エンティティから前記スライス選択制御機能エンティティによって取得される；前記ユーザ加入情報は、加入データベースから前記スライス選択制御機能エンティティによって取得される。
【００３９】
オプションとして、前記装置は、アクセスネットワーク側、コアネットワーク側、またはコアネットワークとアクセスネットワークとの間に配置されるか、あるいはスライス選択制御機能エンティティと結合されるスライスルーティング機能エンティティであり、前記スライス選択制御機能エンティティは、アクセスネットワークまたはコアネットワークに配置されるか、またはアクセスネットワークおよびコアネットワークとは独立したネットワーク機能エンティティである。
【００４０】
オプションとして、前記ネットワークスライス選択支援パラメータは、ネットワークスライス識別子、サービスタイプ、ネットワークスライス記述シンボル、端末利用タイプ、およびテナント識別子の１つまたは複数である。
【００４１】
オプションとして、前記ネットワークスライス識別子は、ネットワークスライスタイプ識別子および/またはネットワークスライスインスタンス識別子を含む。
【００４２】
オプションとして、前記ネットワークスライス選択情報は、ユーザによってアクセスされるネットワークスライスの制御プレーン機能の識別子または制御プレーン機能の集合の識別子である。
【００４３】
オプションとして、前記ネットワークスライスの制御プレーン機能の識別子または制御プレーン機能の集合の識別子は、前記ネットワークスライスのネットワークスライス識別子に対応する。
【００４４】
オプションとして、前記装置は、ネットワークスライス選択支援パラメータまたはネットワークスライス識別子とネットワークスライス選択情報との対応関係を記録したネットワークスライス選択対応関係テーブルを前記スライス選択制御機能エンティティから取得する記憶モジュールをさらに備える。
【００４５】
オプションとして、前記装置は、ネットワークスライス選択支援パラメータが添付された付着要求を受信する第３受信モジュールと、前記ネットワークスライス選択対応関係テーブルおよび前記ネットワークスライス選択支援パラメータに基づいて、ネットワークスライス選択情報を決定する第２決定モジュールと、前記ネットワークスライス選択情報に基づいてシグナリングまたはデータルーティングを実行する第２処理モジュールとをさらに備える。
【００４６】
オプションとして、前記装置は、新しいネットワークスライス選択支援パラメータとネットワークスライス選択情報との対応関係を前記スライス選択制御機能エンティティから取得する第４受信モジュールと、新しいネットワークスライス選択支援パラメータとネットワークスライス選択情報との対応関係を用いて、前記ネットワークスライス選択対応関係テーブルを更新する更新モジュールとをさらに備える。
【００４７】
オプションとして、前記装置は、付着エラー情報を受信した場合、スライス選択制御機能エンティティにネットワークスライス選択支援パラメータを再送することにより、正しいスライス選択情報を取得する再送モジュールを備える。
【００４８】
本開示の第５の態様によれば、ローミングシナリに適用するネットワークスライス選択方法が提供される。この方法は、ネットワークスライスタイプ識別子およびネットワークスライスインスタンス識別子を含むネットワークスライス識別子を取得するステップと、ネットワークスライスタイプ識別子に基づいて、対応する公衆地上モバイルネットワークＰＬＭＮを識別するステップと、前記ネットワークスライスインスタンス識別子に基づいて、ユーザを前記ネットワークスライスインスタンス識別子に対応するネットワークスライスにアクセスさせるステップと、を含む。
【００４９】
オプションとして、前記ネットワークスライスタイプ識別子に基づいて対応する公衆地上モバイルネットワークＰＬＭＮを識別するステップは、前記ネットワークスライスタイプ識別子に基づいて、オペレータおよびネットワークタイプを確定するステップと、確定されたオペレータおよびネットワークタイプに従って、対応するＰＬＭＮを選択するステップとを含む。
【００５０】
本開示の第６の態様によれば、ネットワークスライス選択装置が提供される。この装置は、ネットワークスライスタイプ識別子およびネットワークスライスインスタンス識別子を含むネットワークスライス識別子を取得する取得モジュールと、前記ネットワークスライスタイプ識別子に基づいて、対応する公衆地上モバイルネットワークＰＬＭＮを識別する選択モジュールと、前記ネットワークスライスインスタンス識別子に基づいて、ユーザを前記ネットワークスライスインスタンス識別子に対応するネットワークスライスにアクセスさせるアクセスモジュールと、を備える。
【００５１】
オプションとして、前記選択モジュールはさらに、前記ネットワークスライスタイプ識別子に基づいて、オペレータおよびネットワークタイプを確定し、確定されたオペレータおよびネットワークタイプに従って、対応するＰＬＭＮを選択する。
【００５２】
本開示の第７の態様によれば、ネットワークスライス選択方法が提供される。この方法は、端末に持たれたメッセージにネットワークスライス選択支援パラメータのフィールドが存在しない場合、スライスルーティング機能エンティティまたはアクセスネットワーク側デバイスが、端末に持たれたメッセージをスライス選択制御機能エンティティに送信することにより、スライス選択制御機能エンティティによって、端末に適切なネットワークスライスを選択して、スライスルーティング機能エンティティまたはアクセスネットワーク側デバイスに送信するステップと、前記スライスルーティング機能エンティティまたはアクセスネットワーク側デバイスが、前記スライスルーティング機能エンティティまたはアクセスネットワーク側デバイスによって選択されたネットワークスライスのネットワークスライス識別子を端末に送信し、前記端末によって付着要求を再送するステップと、を含む。
【００５３】
本開示の第８の態様によれば、ネットワークスライス選択装置が提供される。この装置は、端末に持たれたメッセージにネットワークスライス選択支援パラメータのフィールドが存在しない場合、端末に持たれたメッセージをスライス選択制御機能エンティティに送信することにより、前記スライス選択制御機能エンティティによって、前記端末に適切なネットワークスライスを選択して、前記スライスルーティング機能エンティティまたはアクセスネットワーク側デバイスに送信する第２送信モジュールと、前記スライスルーティング機能エンティティまたはアクセスネットワーク側デバイスによって選択されたネットワークスライスのネットワークスライス識別子を前記端末に送信し、端末によって付着要求を再送する第３処理モジュールと、を備える。
【００５４】
本開示の第９の態様によれば、ネットワークスライス選択方法が提供される。この方法は、エンドツーエンドスライス管理および編成機能エンティティが、新たなネットワークスライスを追加するコマンド、ネットワークスライスを削除するコマンド、およびネットワークスライス識別子を更新するコマンドのいずれか１つの制御コマンドを送信するステップと、前記エンドツーエンドスライス管理および編成機能エンティティが、対応関係の更新メッセージをスライス選択制御機能エンティティに送信することにより、前記スライス選択制御機能エンティティによって、ネットワークスライス識別子とネットワークスライスの制御プレーン機能の識別子またはネットワークスライスの制御プレーン機能の集合の識別子との対応関係を更新するステップと、を含む。
【００５５】
本開示の第１０の態様によれば、ネットワークスライス選択装置が提供される。この装置は、新たなネットワークスライスを追加するコマンド、ネットワークスライスを削除するコマンド、およびネットワークスライス識別子を更新するコマンドのいずれか１つの制御コマンドを送信する第３送信モジュールと、対応関係の更新メッセージをスライス選択制御機能エンティティに送信することにより、前記スライス選択制御機能エンティティによって、ネットワークスライス識別子とネットワークスライスの制御プレーン機能の識別子またはネットワークスライスの制御プレーン機能の集合の識別子との対応関係を更新する第４送信モジュールと、を備える。
【００５６】
上述の技術方案の１つは、以下の利点または効果を有する。ネットワークスライス選択が必要な場合、ネットワークスライスのポートを特に設定することなく、ネットワークスライスの識別子またはサービスタイプに基づいてネットワークスライスを柔軟に選択することができる。さらに、異なるネットワークサービス機能が異なるネットワークスライスに対応するので、様々なサービス間の相互影響を回避したため、ネットワーク安定性はより高い。スライス選択制御機能エンティティとネットワークスライスとの間にシグナリングのやりとりがなく、ネットワークスライスの外部へのインタフェースの数を減らした。また、ＲＡＮ側では、ネットワークスライス選択対応関係テーブルを記憶しておき、ネットワークスライス選択対応関係テーブルを直接検索し、ネットワークスライス選択情報を取得することにより、ＵＥがネットワークスライスに複数回アクセスするときにスライス選択機能に繰り返しアクセスすることによってネットワークスライス選択情報を取得することが回避された。
【図面の簡単な説明】
【００５７】
【図１】図１は、本開示の例示的な適用シナリオによるネットワークスライシングアーキテクチャの概略図である。
【図２】図２は、本開示の実施形態に係るネットワークスライス選択方法のフローチャートである。
【図３】図３は、本開示の実施形態に係るネットワークスライス選択方法のフローチャートである。
【図４】図４は、本開示の実施形態に係るネットワークスライスの選択および付着のフローチャートである。
【図５】図５は、本開示の実施形態に係るネットワークスライスの追加のフローチャートである。
【図６】図６は、本開示の実施形態に係るネットワークスライスの削除のフローチャートである。
【図７】図７は、本開示の実施形態に係るネットワークスライスの更新のフローチャートである。
【図８】図８は、本開示の実施形態に係るネットワークスライスの更新のフローチャートである。
【図９】図９は、本開示の実施形態に係るスライス選択制御機能エンティティのブロック図である。
【図１０】図１０は、本開示の実施形態に係るネットワークスライス選択装置のブロック図である。
【図１１】図１１は、本開示の実施形態に係るネットワークスライス選択方法のフローチャートである。
【図１２】図１２は、本開示の実施形態に係るネットワークスライス選択装置のブロック図である。
【発明を実施するための形態】
【００５８】
以下、本開示の例示的な実施形態を、図面を参照してより詳細に説明する。 本開示の例示的な実施形態は図面に示されているが、本開示は様々な形態で達成されることができ、ここに記載された実施形態によって限定されるべきではない。これらの実施形態は、本発明をより良く理解するようにその範囲を当業者に完全に伝達するために提供されるものである。
【００５９】
当業者は、本開示の実施形態が、システム、装置、デバイス、方法、またはコンピュータプログラム製品として実装され得ることを理解するであろう。したがって、本開示の実施形態は、完全なハードウェア、完全なソフトウェア（ファームウェア、常駐ソフトウェア、マイクロコードなどを含む）またはハードウェアとソフトウェアの組み合わせの形態で実装することができる。
【００６０】
図１を参照すると、図１は、本開示の例示的な応用シナリオのネットワークスライスアーキテクチャの概略図である。ネットワークスライスの選択とは、異なるシナリオによる流量を区別して、異なるシナリオによる流量を異なるネットワークスライスにスケジュールする方法を指す。ネットワークスライスは、アクセスネットワークおよびコアネットワークの機能を含むエンドツーエンドの論理モバイルネットワークのことである。 もちろん、ネットワークスライスは、コアネットワークのみを含んでもよい。
【００６１】
ネットワークスライスの選択には、スライス選択制御機能エンティティおよびルーティング機能が含まれる。ルーティング機能は、無線アクセスネットワーク（ＲＡＮ）側に配置され、ネットワークスライスに関するシグナリングおよびデータの伝送を実行する。スライス選択制御機能エンティティ（Ｓｌｉｃｅ Ｓｅｌｅｃｔ Ｃｏｎｔｒｏｌ Ｆｕｎｃｔｉｏｎ（ＳＳＣＦ））は、ＲＡＮ側またはコアネットワーク側に配置されるか、またはＲＡＮおよびコアネットワークとは独立したネットワーク機能であることができる。スライス選択制御機能エンティティは、以下に記載の情報の１つまたは複数に基づいて、ネットワークスライス選択情報（または選択したネットワークスライスの情報とも言える）を決定して、ネットワークスライス選択情報をＲＡＮにフィードバックし、ＲＡＮによってシグナリングおよびデータルーティングを実行するようにする。なお、このネットワークスライス選択情報は、スライス選択制御機能エンティティによる選択の結果であり、選択されたネットワークスライスの制御プレーン機能の識別子または制御プレーン機能の集合の識別子を示す。
【００６２】
前記情報の１つまたは複数は、（１）ネットワークスライス選択支援パラメータ、（２）ユーザ加入情報、（３）ユーザコンテキスト（例えば、セル識別子など）、および（４）スライス選択ポリシーであることができる。
【００６３】
（１）ネットワークスライス選択支援パラメータ：ネットワークスライス選択支援パラメータは、ＲＡＮ側から取得した、例えばネットワークスライス識別子、サービスタイプ、別スライス選択支援パラメータ、ネットワークスライス記述シンボル、テナント識別子、端末利用タイプ（ＵＥ ＵＳＡＧＥ ＴＹＰＥ）などであることができる。例えば、ネットワークスライス選択支援パラメータは、付着要求に添付される。
【００６４】
ネットワークスライス識別子には、例えば、識別拡張モバイルブロードバンド（ｅＭＢＢ）スライス、モノのインターネット（Ｉｎｔｅｒｎｅｔ ｏｆ Ｔｈｉｎｇｓ(ＩｏＴ)）スライスなどのネットワークスライスのタイプ識別子、およびネットワークスライスインスタンス識別子（１つのネットワークスライスには複数のエンティティがある可能で、たとえば、ｅＭＢＢスライスには複数のインスタンス化されたエンティティがある）という２つの部分があることができる。
【００６５】
なお、本実施形態では、ネットワークスライス識別子は、ネットワークスライスタイプ識別子及び/又はネットワークスライスインスタンス識別子を含む。ローミングシナリオでは、コアネットワークが、ネットワークスライス識別子に基づいて完全認定ドメイン名/フルネームドメイン（Ｆｕｌｌｙ Ｑｕａｌｉｆｉｅｄ Ｄｏｍａｉｎ Ｎａｍｅ(ＦＱＤＮ)）を設定し、対応するネットワークスライスまたは対応するネットワークスライス制御プレーン機能を見つけることができる。このスライスタイプ（ｓｌｉｃｅ ｔｙｐｅ）識別子は、ユーザローミングの場合、ユーザのオペレータ（例えば、チャイナモバイル、チャイナユニコムまたは中国電信）、およびネットワークの種類（例えば第四世代移動通信（４Ｇ）、第三世代移動通信（３Ｇ）など）を確定し、次に、スライスタイプ識別子に従って対応する公衆陸上移動ネットワーク（Ｐｕｂｌｉｃ Ｌａｎｄ Ｍｏｂｉｌｅ Ｎｅｔｗｏｒｋ(ＰＬＭＮ)）を識別した後、アクセス先のオペレータによって、ネットワークスライスインスタンス識別子に従って、ユーザをネットワークスライスインスタンス識別子（ｉｎｓｔａｎｃｅ ｉｄ）に対応するネットワークスライスにアクセスさせるために使用されることができる。
【００６６】
（２）ユーザ加入情報：ユーザ加入情報は、加入データベースから取得したユーザ加入データである。
【００６７】
（３）ユーザコンテキスト（例えば、セル識別子など）：ユーザコンテキストは、単独の選択情報として使用するか、またはスライス選択支援パラメータに含まれてＲＡＮ側から取得することができる。
【００６８】
（４）スライス選択ポリシー：スライス選択ポリシーは、例えば、ユーザやサービスタイプ等に基づくものである。第５世代移動通信（５Ｇ）ネットワークポリシー機能（図中の５Ｇポリシーネットワーク機能に対応）から取得することもできるし、ＳＳＣＦ配置に対する選択ポリシーとすることもできる。 例えば、スライス選択ポリシーには、ネットワーク輻輳の場合に高優先度のクライアントがネットワークスライスにアクセスし、低優先度のクライアントがアクセスしないなどのポリシーがあり、これに限定されるものではない。
【００６９】
ネットワークスライスが最初に選択されると、ユーザが持たれたネットワークスライス選択支援パラメータ（例えば、ネットワークスライス識別子Ｓｌｉｃｅ−ＩＤ、またはサービスタイプなど）をＲＡＮに送信し、ＲＡＮは、独立したスライス選択制御機能エンティティにアクセスしてネットワークスライス選択情報を取得し、 ネットワークスライス選択情報に基づいてシグナリングまたはデータルーティングを実行する。ここで、ネットワークスライス選択情報は、ユーザによってアクセスされるネットワークスライスの制御プレーン機能ＩＤ、または制御プレーン機能の集合ＩＤ（制御プレーン機能Ｇｒｏｕｐ−ＩＤ（グループＩＤ）とも呼ばれる）であることができ、ネットワークスライスのエントリアドレスとして理解されてもよい。 ネットワークスライスの制御プレーン機能が、ネットワークスライスにおけるネットワーク機能であってもよいし、ネットワーク機能の集合であってもよいので、スライス選択制御機能エンティティによる選択後にリターンされるネットワークスライス選択情報は、制御プレーン機能ＩＤであってもよく、１種類の制御プレーン機能の集合ＩＤであってもよい。
【００７０】
本開示の例示的な実施形態によるネットワークスライス選択方法は、図１の応用シナリオにおけるネットワークアーキテクチャと図２を参照して以下に説明される。ただし、この応用シナリオは、本開示の精神および原理の理解を容易にするためのものであり、本開示の実施形態は、この点に限定されないことに留意されたい。 本開示の実施形態は、適用可能な任意のシナリオに応用することができる。
【００７１】
図２は、本開示の実施形態に係るネットワークスライス選択方法のフローチャートを示す。図２に示すネットワークスライス選択方法はステップ２０１と、ステップ２０２と、を含む。
【００７２】
ステップ２０１：スライス選択制御機能エンティティは、スライス選択ポリシー、ユーザ加入情報、ネットワークスライス選択支援パラメータ、およびユーザコンテキストのうち１つまたは複数を取得する。
【００７３】
オプションとして、前記スライス選択制御機能エンティティは、スライスルーティング機能エンティティまたはアクセスネットワークによって送信された、ネットワークスライス選択支援パラメータおよび/またはユーザコンテキストが添付された付着要求を受信する。前記スライス選択制御機能エンティティは、５Ｇポリシーネットワーク機能エンティティからスライス選択ポリシーを取得する。前記スライス選択制御機能エンティティは、加入データベース（ＤＡＴＡ）からユーザ加入情報を取得する。
【００７４】
前記ユーザ加入情報は、加入データベースから取得したユーザ加入データを指し、加入データは、ユーザが注文/加入したネットワークスライスのタイプ、ネットワークスライス識別子またはサービスタイプなどを含み、本実施形態ではユーザ加入データを具体的に制限しない。
【００７５】
前記ネットワークスライス選択支援パラメータは、ネットワークスライス識別子（Ｓｌｉｃｅ Ｉｄｅｎｔｉｆｉｅｒ（Ｓｌｉｃｅ―ＩＤ））、サービスタイプ、ネットワークスライス記述シンボル、テナント識別子、および端末利用タイプの１つまたは複数である。前記サービスタイプは、例えば、モノのインターネットサービス、高帯域幅、低レイテンシなどであり、前記ユーザコンテキストは、セル識別子などであってもよく、もちろんこれに限定されるものではない。
【００７６】
前記ネットワークスライス識別子には、例えば、識別拡張モバイルブロードバンド（ｅＭＢＢ）スライス、モノのインターネット（Ｉｎｔｅｒｎｅｔ ｏｆ Ｔｈｉｎｇｓ(ＩｏＴ)）スライスなどのネットワークスライスのタイプ識別子、およびネットワークスライスインスタンス識別子（１つのネットワークスライスには複数のエンティティがある可能であり、たとえば、ｅＭＢＢスライスには複数のインスタンス化されたエンティティがある）という２つの部分があることができる。
【００７７】
ここで、本実施形態では、ネットワークスライス識別子は、ネットワークスライスタイプ識別子及び/又はネットワークスライスインスタンス識別子を含む。ローミングシナリオでは、コアネットワークが、ネットワークスライス識別子に基づいて完全認定ドメイン名/フルネームドメイン（Ｆｕｌｌｙ Ｑｕａｌｉｆｉｅｄ Ｄｏｍａｉｎ Ｎａｍｅ(ＦＱＤＮ)）を構築し、対応するネットワークスライスまたは対応するネットワークスライス制御プレーン機能を見つけることができる。このスライスタイプ（ｓｌｉｃｅ ｔｙｐｅ）識別子は、ユーザローミングの場合、ユーザのオペレータ（例えば、チャイナモバイル、チャイナユニコムまたは中国電信）、およびネットワークの種類（例えば４Ｇ、３Ｇなど）を確定し、次に、スライスタイプ識別子に従って対応する公衆陸上移動ネットワーク（Ｐｕｂｌｉｃ Ｌａｎｄ Ｍｏｂｉｌｅ Ｎｅｔｗｏｒｋ(ＰＬＭＮ)）を識別した後、アクセス先のオペレータによって、ネットワークスライスインスタンス識別子に従って、ユーザをネットワークスライスインスタンス識別子（ｉｎｓｔａｎｃｅ ｉｄ）に対応するネットワークスライスにアクセスさせるために使用されることができる。
【００７８】
前記ルーティング機能は、ＲＡＮ（無線アクセスネットワーク）側、コアネットワーク側、またはコアネットワークとアクセスネットワークとの間に配置されるか、あるいはスライス選択制御機能エンティティと結合され、ネットワークスライスに関するシグナリングおよびデータの伝送を実行する。前記スライス選択制御機能エンティティは、ＲＡＮ側またはコアネットワーク側に配置されるか、またはＲＡＮおよびコアネットワークとは独立したネットワーク機能であることができる。
【００７９】
ステップ２０２：スライス選択制御機能エンティティは、スライス選択ポリシー、ユーザ加入情報、ネットワークスライス選択支援パラメータおよびユーザコンテキストのうち１つまたは複数に基づいて、ネットワークスライス選択情報を決定し、決定されたネットワークスライス選択情報をスライスルーティング機能エンティティに送信することにより、シグナリングまたはデータルーティングを前記スライスルーティング機能エンティティによって実行する。
【００８０】
例えば、スライス選択制御機能エンティティは、スライス選択ポリシーに基づいてネットワークスライス選択情報を決定するか、ユーザ加入情報に基づいてネットワークスライス選択情報を決定するか、ネットワークスライス選択支援パラメータに基づいてネットワークスライス選択情報を決定するか、ユーザコンテキストに基づいてネットワークスライス選択情報を決定するか、あるいはスライス選択ポリシー、ユーザ加入情報、ネットワークスライス選択支援パラメータおよびユーザコンテキストに基づいてネットワークスライス選択情報を決定する。これに限定されるものではない。
【００８１】
前記スライス選択ポリシーは、ユーザやサービスタイプ等に基づくものであり、５Ｇネットワークポリシー機能（図中の５Ｇポリシーネットワーク機能に対応する）から取得してもよいし、ＳＳＣＦ配置に対する切り替え選択ポリシーであってもよい。これに限定されるものではない。
【００８２】
このネットワークスライス選択情報は、スライス選択制御機能エンティティによる選択の結果であり、ユーザによってアクセスされるネットワークスライスの制御プレーン機能の識別子（制御プレーン機能ＩＤ）または制御プレーン機能の集合の識別子（制御プレーン機能Ｇｒｏｕｐ−ＩＤ）であってもよい。前記ネットワークスライスの制御プレーン機能の識別子または制御プレーン機能の集合の識別子は、前記ネットワークスライスのネットワークスライス識別子に対応する。すなわち、ネットワークスライス識別子に基づいて、ネットワークスライスに対応した制御プレーン機能の識別子または制御プレーン機能の集合識別子を見つけることができる。
【００８３】
本実施形態では、ネットワークスライス選択が必要な場合、スライス選択制御機能エンティティによって、スライス選択ポリシー、ユーザ加入情報、ネットワークスライス選択支援パラメータおよびユーザコンテキストのうち１つまたは複数に基づいてネットワークスライス選択情報を決定することにより、ネットワークスライスのポートを特に設定することなく、ネットワークスライス識別子、スライス選択ポリシー、セル識別子またはサービスタイプなどに基づいた柔軟なネットワークスライス選択を実現することができ、さらに、異なるネットワークサービス機能が異なるネットワークスライスに対応するので、様々なサービス間の相互影響を回避したため、ネットワーク安定性はより高い。スライス選択制御機能エンティティとネットワークスライスとの間にシグナリングのやりとりがなく、ネットワークスライスの外部へのインタフェースの数を減らした。
【００８４】
本開示の例示的な実施形態によるネットワークスライス選択方法は、図１の応用シナリオにおけるネットワークアーキテクチャと図３を参照して以下に説明される。ただし、この応用シナリオは、本開示の精神および原理の理解を容易にするためのものであり、本開示の実施形態は、この点に限定されないことに留意されたい。 むしろ、本開示の実施形態は、適用可能な任意のシナリオに応用することができる。
【００８５】
図３は、本開示の実施形態に係るネットワークスライス選択方法のフローチャートである。図３に示す方法は、ステップ３０１およびステップ３０２を含む。
【００８６】
ステップ３０１：スライスルーティング機能エンティティまたはアクセスネットワーク側デバイスは、スライス選択ポリシー、ユーザ加入情報、ネットワークスライス選択支援パラメータおよびユーザコンテキストのうち１つまたは複数に基づいてスライス選択制御機能エンティティによって決定し送信されたネットワークスライス選択情報を受信する。
【００８７】
例えば、スライス選択制御機能エンティティは、スライス選択ポリシーに基づいてネットワークスライス選択情報を決定するか、ユーザ加入情報に基づいてネットワークスライス選択情報を決定するか、ネットワークスライス選択支援パラメータに基づいてネットワークスライス選択情報を決定するか、ユーザコンテキストに基づいてネットワークスライス選択情報を決定するか、あるいはスライス選択ポリシー、ユーザ加入情報、ネットワークスライス選択支援パラメータおよびユーザコンテキストに基づいてネットワークスライス選択情報を決定する。これに限定されるものではない。
【００８８】
前記ネットワークスライス選択支援パラメータは、ＲＡＮからの付着要求から取得することができ、これに限定されるものではない。
【００８９】
前記ユーザコンテキストは、ＲＡＮからの付着要求から取得することができ、これに限定されるものではない。
【００９０】
前記ユーザ加入情報とは、加入データベースから取得したユーザ加入データを指し、加入データは、ユーザが注文/加入したネットワークスライスのタイプ、ネットワークスライス識別子またはサービスタイプなどを含み、本実施形態ではユーザ加入データを具体的に制限しない。
【００９１】
前記スライス選択ポリシーは、ユーザやサービスタイプ等に基づくものであり、５Ｇネットワークポリシー機能（図中の５Ｇポリシーネットワーク機能に対応）から取得してもよいし、ＳＳＣＦ配置に対する切り替え選択ポリシーであってもよい。これに限定されるものではない。
【００９２】
前記ネットワークスライス選択支援パラメータは、ネットワークスライス識別子（Ｓｌｉｃｅ Ｉｄｅｎｔｉｆｉｅｒ（Ｓｌｉｃｅ―ＩＤ））、サービスタイプ、ネットワークスライス記述シンボル、およびテナント識別子のうちいずれか１つである。前記サービスタイプは、例えば、モノのインターネットサービス、高帯域幅、低レイテンシなどであり、前記ユーザコンテキストは、セル識別子などであってもよい。
【００９３】
前記ネットワークスライス識別子には、例えば、識別拡張モバイルブロードバンド（ｅＭＢＢ）スライス、モノのインターネット（Ｉｎｔｅｒｎｅｔ ｏｆ Ｔｈｉｎｇｓ(ＩｏＴ)）スライスなどのネットワークスライスのタイプ識別子、およびネットワークスライスインスタンス識別子（１つのネットワークスライスには複数のエンティティがある可能であり、たとえば、ｅＭＢＢスライスには複数のインスタンス化されたエンティティがある）という２つの部分があることができる。
【００９４】
ここで、本実施形態では、ネットワークスライス識別子は、オペレータおよびネットワークタイプを確定するためのネットワークスライスタイプ識別子、及び具体的なネットワークスライスを確定するためのネットワークスライスインスタンス識別子を含む。ローミングシナリオでは、コアネットワークは、ネットワークスライス識別子に基づいて完全認定ドメイン名/フルネームドメイン（Fully Qualified Domain Name(ＦＱＤＮ)）を構築し、対応するネットワークスライスまたは対応するネットワークスライス制御プレーン機能を見つけることができる。このスライスタイプ（ｓｌｉｃｅ ｔｙｐｅ）識別子は、ユーザローミングの場合、ユーザのオペレータ（例えば、チャイナモバイル、チャイナユニコムまたは中国電信）、およびネットワークの種類（例えば４Ｇ、３Ｇなど）を確定し、次に、スライスタイプ識別子に従って対応する公衆陸上移動ネットワーク（Ｐｕｂｌｉｃ Ｌａｎｄ Ｍｏｂｉｌｅ Ｎｅｔｗｏｒｋ(ＰＬＭＮ)）を識別した後、アクセス先のオペレータによって、ネットワークスライスインスタンス識別子に従って、ユーザをネットワークスライスインスタンス識別子（ｉｎｓｔａｎｃｅ ｉｄ）に対応するネットワークスライスにアクセスさせるために使用されることができる。
【００９５】
前記ルーティング機能は、ＲＡＮ（無線アクセスネットワーク）側、コアネットワーク側、またはコアネットワークとアクセスネットワークとの間に配置されるか、あるいはスライス選択制御機能エンティティと結合され、ネットワークスライスに関するシグナリングおよびデータの伝送を実行する。前記スライス選択制御機能エンティティは、ＲＡＮ側またはコアネットワーク側に配置されるか、またはＲＡＮおよびコアネットワークとは独立したネットワーク機能であることができる。
【００９６】
前記ネットワークスライス選択情報は、スライス選択制御機能エンティティによる選択の結果であり、ユーザによってアクセスされるサービスに対応するネットワークスライスの制御プレーン機能の識別子または制御プレーン機能の集合の識別子であってもよい。前記ネットワークスライスの制御プレーン機能の識別子または制御プレーン機能の集合の識別子は、前記ネットワークスライスのネットワークスライス識別子に対応する。すなわち、ネットワークスライス識別子に基づいて、ネットワークスライスに対応した制御プレーン機能の識別子または制御プレーン機能の集合の識別子を見つけることができる。
【００９７】
ステップ３０２：前記スライスルーティング機能エンティティまたはアクセスネットワーク側デバイスは、前記ネットワークスライス選択情報に従ってシグナリングまたはデータルーティングを実行する。
【００９８】
オプションとして、本実施形態では、前記方法は、前記スライスルーティング機能エンティティまたはアクセスネットワーク側デバイスが、ネットワークスライス選択支援パラメータまたはネットワークスライス識別子とネットワークスライス選択情報との対応関係を記録したネットワークスライス選択対応関係テーブルを前記スライス選択制御機能エンティティから取得するステップをさらに含む。
【００９９】
本実施形態では、ユーザが再びネットワークスライスにアクセスする場合、再度スライス選択制御機能エンティティによって対応関係を取得する必要がなく、ネットワークスライス選択対応関係テーブルに従って、ネットワークスライス選択支援パラメータに対応するネットワークスライスエントリポイントにユーザ端末（ＵＥ）を直接に導くことができる。 
【０１００】
オプションとして、本実施形態では、前記方法は、前記スライスルーティング機能エンティティまたはアクセスネットワーク側デバイスが、ネットワークスライス選択支援パラメータが添付された付着要求を受信するステップと、前記スライスルーティング機能エンティティが、ネットワークスライス選択対応テーブルおよび前記ネットワークスライス選択支援パラメータに基づいて、ネットワークスライス選択情報を決定するステップと、前記スライスルーティング機能エンティティが、前記ネットワークスライス選択情報に基づいてシグナリングまたはデータルーティングを実行するステップとをさらに含む。
【０１０１】
本実施形態では、ＲＡＮ側に配置されたネットワークスライス選択対応関係テーブルの期限切れ、またはＵＥ注文／加入関係の変更などの原因で選択エラーが発生した場合、ネットワークスライス選択のフォールトトレランス機能によって、ＲＡＮがスライス選択制御機能エンティティに再びアクセスして正しいスライス選択情報を取得し、正しいネットワークスライスを選択するとともに、ＲＡＮ側のネットワークスライス選択対応関係テーブルを更新するようにすることができる。
【０１０２】
オプションとして、本実施形態では、前記方法は、前記スライスルーティング機能エンティティまたはアクセスネットワーク側デバイスが、新しいネットワークスライス選択支援パラメータとネットワークスライス選択情報との対応関係を前記スライス選択制御機能エンティティから取得するステップと、前記スライスルーティング機能エンティティまたはアクセスネットワーク側デバイスが、新しいネットワークスライス選択支援パラメータとネットワークスライス選択情報との対応関係を用いて、前記ネットワークスライス選択対応関係テーブルを更新するステップとをさらに含む。
【０１０３】
本実施形態では、ＲＡＮ側に配置されたネットワークスライス選択対応関係テーブルの期限切れ、またはＵＥ注文／加入関係の変更などの原因で選択エラーが発生した場合、前記対応関係を更新する必要となる。もちろん、これに限られていない。
【０１０４】
オプションとして、本実施形態では、前記方法は、付着エラー情報を前記スライスルーティング機能エンティティまたはアクセスネットワーク側デバイスによって受信した場合、前記スライスルーティング機能エンティティまたはアクセスネットワーク側デバイスが、前記スライス選択制御機能エンティティに前記ネットワークスライス選択支援パラメータを再送信することにより、正しいネットワークスライス選択結果を取得するステップをさらに含む。
【０１０５】
本実施形態では、ネットワークスライス選択が必要な場合、スライス選択制御機能エンティティによって、スライス選択ポリシー、ユーザ加入情報、ネットワークスライス選択支援パラメータおよびユーザコンテキストのうち１つまたは複数に基づいてネットワークスライス選択情報を決定することにより、ネットワークスライスのポートを特に設定することなく、ネットワークスライス識別子、スライス選択ポリシー、セル識別子またはサービスタイプなどに基づいた柔軟なネットワークスライス選択などを実現することができ、さらに、異なるネットワークサービス機能が異なるネットワークスライスに対応するので、様々なサービス間の相互影響を回避したため、ネットワーク安定性はより高い。スライス選択制御機能エンティティとネットワークスライスとの間にシグナリングのやりとりがなく、ネットワークスライスの外部へのインタフェースの数を減らした。なお、ＲＡＮ側またはスライスルーティング機能エンティティでは、ネットワークスライス選択対応関係テーブルを記憶しておき、ネットワークスライス選択対応関係テーブルを直接検索し、ネットワークスライス選択情報を取得することにより、ＵＥがネットワークスライスに複数回アクセスするときにスライス選択機能に繰り返しアクセスすることによってネットワークスライス選択情報を取得することが回避された。
【０１０６】
図４を参照すると、図４は、ネットワークスライスの選択および付着（attach）のフローチャートである。図４は、具体的に、ステップ４０１およびステップ４０９を含む。
【０１０７】
ステップ４０１：ユーザ端末（ＵＥ）は、付着要求を無線アクセスネットワーク（ＲＡＮ）に送信する。
【０１０８】
ＵＥは、付着要求において、ネットワークスライス選択支援パラメータをＲＡＮ内の基地局に送信する。ネットワークスライス選択支援パラメータは、ネットワークスライス識別子（Ｓｌｉｃｅ−ＩＤ）、サービスタイプなどを含むが、これに限定されない。
【０１０９】
具体的には、ＵＥは、付着要求メッセージ（Ａｔｔａｃｈ Ｒｅｑｕｅｓｔ Ｍｅｓｓａｇｅ）および無線リソース制御（ＲＲＣ）パラメータなどの情報を含む付着要求をＲＡＮ側へ送信する。ＲＲＣパラメータは、Ｓｌｉｃｅ−ＩＤ情報、サービスタイプなどのネットワークスライス選択支援パラメータを含む。
【０１１０】
前記ネットワークスライス識別子には、例えば、識別拡張モバイルブロードバンド（ｅＭＢＢ）スライス、モノのインターネット（Internet of Things(ＩｏＴ)）スライスなどのネットワークスライスのタイプ識別子、およびネットワークスライスインスタンス識別子（１つのネットワークスライスには複数のエンティティがある可能であり、たとえば、ｅＭＢＢスライスには複数のインスタンス化されたエンティティがある）という２つの部分があることができる。
【０１１１】
ここで、本実施形態では、ネットワークスライス識別子は、ネットワークスライスタイプ識別子及びネットワークスライスインスタンス識別子を含む。ローミングシナリオでは、コアネットワークは、ネットワークスライス識別子に基づいて完全認定ドメイン名/フルネームドメイン（Ｆｕｌｌｙ Ｑｕａｌｉｆｉｅｄ Ｄｏｍａｉｎ Ｎａｍｅ(ＦＱＤＮ)）を構築し、対応するネットワークスライスまたは対応するネットワークスライス制御プレーン機能を見つけることができる。このスライスタイプ（ｓｌｉｃｅ ｔｙｐｅ）識別子は、ユーザローミングの場合、ユーザのオペレータ（例えば、チャイナモバイル、チャイナユニコムまたは中国電信）、およびネットワークの種類（例えば４Ｇ、３Ｇなど）を確定し、次に、スライスタイプ識別子に従って対応する公衆陸上移動ネットワーク（Ｐｕｂｌｉｃ Ｌａｎｄ Ｍｏｂｉｌｅ Ｎｅｔｗｏｒｋ(ＰＬＭＮ)）を識別した後、アクセス先のオペレータによって、ネットワークスライスインスタンス識別子に従って、ユーザをネットワークスライスインスタンス識別子（ｉｎｓｔａｎｃｅ ｉｄ）に対応するネットワークスライスにアクセスさせるために使用されることができる。
【０１１２】
ステップ４０２：ＲＡＮは、付着要求をスライス選択制御機能エンティティ（あるいはスライス選択制御機能エンティティとも言う）へ送信する。
【０１１３】
ＲＡＮ側では、ＵＥに持たれたネットワークスライス選択支援パラメータ（例えば、Ｓｌｉｃｅ−ＩＤ、サービスタイプなど）と、対応するネットワークスライス制御プレーン機能（例えば、対応するネットワークスライス制御ネットワーク要素）との対応関係が保持されている。ＲＡＮは、ＵＥに持たれた付着要求をスライス選択制御機能エンティティに転送し、スライス選択制御機能エンティティによってネットワークスライス選択情報を取得する。スライスネットワーク選択情報は、ＵＥに持たれたネットワークスライス選択支援パラメータに対応する、ネットワークスライス制御プレーン機能ＩＤ、またはネットワークスライス制御プレーン機能集合ＩＤ（あるいは、ネットワークスライス制御プレーン機能Ｇｒｏｕｐ−ＩＤとも言う）を含むが、これらに限定されない。
【０１１４】
また、ＲＡＮは、ＲＡＮ自身に保持されたネットワークスライス選択対応関係テーブルに従って、ネットワークスライス選択情報を直接検索し取得してもよい。該ネットワークスライス選択情報は、対応して選択されたネットワークスライスのネットワークスライス制御プレーン機能ＩＤ、またはネットワークスライス制御プレーン機能集合ＩＤを含むが、これらに限定されない。ネットワークスライス選択対応関係テーブルには、ネットワークスライス選択支援パラメータまたはネットワークスライス識別子とネットワークスライス選択情報との対応関係が記録されている。ネットワークスライス選択情報は、スライス選択制御機能エンティティによる選択の結果であり、対応するネットワークスライスの制御プレーン機能識別子（制御プレーン機能ＩＤ）または制御プレーン機能集合識別子（制御プレーン機能Ｇｒｏｕｐ−ＩＤ）であってもよい。
【０１１５】
オプションとして、ＲＡＮ側は、端末がネットワークスライスをサポートするかどうかを識別する機能を有する。ＵＥがネットワークスライスをサポートしない場合、ＵＥに持たれたメッセージにはネットワークスライス選択支援パラメータのフィールドが含まれなくても、ＲＡＮは、ＵＥに持たれた様々なメッセージをＮＳＳＦに送信し、ＮＳＳＦによって、ＲＡＮに適切なスライスを選択してＲＡＮにフィードバックすることができる。次に、ＲＡＮは、４Ｇ  ＥＰＣネットワークアーキテクチャにおける付着処理手順に従ってＵＥの付着要求を処理する。ＵＥがネットワークスライスをサポートする場合、空であるか、またはネットワークスライス選択パラメータについての記述（ネットワークスライス識別子、サービスタイプ、およびテナント識別子など）が添付されたネットワークスライス選択支援パラメータのフィールドが、ＵＥに持たれたメッセージに含まれている。
【０１１６】
ＵＥがネットワークスライスをサポートする場合は、ＵＥがネットワークスライス選択支援パラメータを持っているかどうか、およびＵＥに持たれたネットワークスライス選択支援パラメータに対応する選択対応関係テーブルがＲＡＮに保持されているかどうかによって、４つのシナリオに分けることができる。
【０１１７】
シナリオ１：ＵＥがネットワークスライス選択支援パラメータを持っており、ＲＡＮがＵＥに持たれたネットワークスライス選択支援パラメータに対応するネットワークスライス選択対応関係テーブルを保持している。
【０１１８】
ネットワークスライス選択対応関係テーブルには、ネットワークスライス選択支援パラメータまたはネットワークスライス識別子とネットワークスライス選択情報との対応関係が記録されている。シナリオ１において、ＲＡＮは、ＵＥに持たれたネットワークスライス選択支援パラメータを取得した後、ＲＡＮに保持された対応関係に従ってネットワークスライスを直接選択し、ステップ４０２〜４０６をスキップし、ステップ４０７を実行する。
【０１１９】
シナリオ２：ＵＥがネットワークスライス選択支援パラメータを持っており、ＲＡＮがＵＥに持たれたネットワークスライス選択支援パラメータに対応するネットワークスライス選択対応関係テーブルを保持していない。
【０１２０】
ネットワークスライス選択支援テーブルには、ネットワークスライス選択支援パラメータまたはネットワークスライス識別子とネットワークスライス選択情報との対応関係が記録されている。シナリオ２では、ＲＡＮは、ＵＥ側からの付着要求を受信した後、ＵＥに持たれたネットワークスライス選択支援パラメータをスライス選択制御機能エンティティに直接転送し、ステップ４０３〜４０６のネットワークスライス選択プロセスを実行する。
【０１２１】
シナリオ３：ＵＥは、ネットワークスライス選択支援パラメータを持っておらず、ＲＡＮは、ＵＥが加入したネットワークスライスに対応する対応関係テーブルを保持していない。
【０１２２】
シナリオ４：ＵＥは、ネットワークスライス選択支援パラメータを持っておらず、ＲＡＮは、ＵＥが加入したネットワークスライスに対応する対応関係テーブルを保持している。
【０１２３】
前記シナリオ３と、シナリオ４とは同様に対応することができ、すなわち、ＲＡＮは、ＵＥの付着要求をスライス選択制御機能エンティティに転送し、次にステップ４０３〜４０６のネットワークスライス選択プロセスを実行する。なお、シナリオ３の場合、ＵＥが任意のネットワークスライスサービスを注文/加入していない場合、オペレータのポリシーに従ってＵＥアクセスを拒否されてもよく、デフォルトのネットワークスライスをＵＥへ割り当ててもよい。
【０１２４】
ここで、シナリオ３は下記のように対応することもできる（例えば、特定の実施形態では、二者択一の方式で、シナリオ３を対応することができる）。オプションとして、ＵＥがネットワークスライス選択支援パラメータを持っていないとき、ＲＡＮは、選択されたネットワークスライスのネットワークスライス識別子を受信した後、図４の点線のボックスに示すように、選択されたネットワークスライス識別子などの情報をＵＥに通知し、ＵＥによって付着要求を再送させる。
【０１２５】
ステップ４０３：スライス選択制御機能エンティティは、加入データベース（ＤＡＴＡ）からＵＥのユーザ注文/加入情報を取得し、ユーザのネットワークへのアクセスの認証プロセスを実行する。
【０１２６】
加入データベース（ＤＡＴＡ）には、ユーザの加入データ、および注文/加入情報が格納されている。ユーザの注文/加入情報には、ユーザが注文/加入したネットワークスライスタイプ、ネットワークスライス識別子、またはサービスタイプなどが含まれる。
【０１２７】
例えば、進化したパケットコア（Ｅｖｏｌｖｅｄ Ｐａｃｋｅｔ Ｃｏｒｅ（ＥＰＣ））ネットワークアーキテクチャを参照すると、スライス選択制御機能エンティティは、加入データベース（ＤＡＴＡ）に対して認証要求を発行し、加入データベース（ＤＡＴＡ）は、現在のＵＥの注文/加入情報（例えば、注文/加入したネットワークスライスのＳｌｉｃｅ−ＩＤのリスト、またはサービスタイプのリストなど）をフィードバックし、スライス選択制御機能エンティティは、加入データベースからフィードバックされたリストとＵＥ自身に持たれたネットワークスライス選択支援パラメータとを対照することにより、ユーザのネットワークスライスへのアクセスの許可を判定し、ユーザのネットワークへのアクセスの認証プロセスを実行する。
【０１２８】
ステップ４０４：スライス選択制御機能エンティティは、ネットワークスライス選択支援パラメータ、ユーザ加入情報、ユーザコンテキスト、および対応するスライス選択ポリシーのうち１または複数に基づいて、適切なネットワークスライスを選択し、ネットワークスライス選択情報を決定する。
【０１２９】
スライス選択制御機能エンティティには、ネットワークスライス選択支援パラメータと特定のスライスとの対応関係を規定した、ネットワークスライス選択支援パラメータ（例えば、Ｓｌｉｃｅ−ＩＤ、サービスタイプなど）および対応するネットワークスライス制御プレーン機能（例えば、ネットワークスライスに対応する制御プレーン機能ＩＤまたは制御プレーン機能のＧｒｏｕｐ−ＩＤ）の選択規則が保持されている。この選択規則は、ユーザによって提供される様々な他の選択情報を考慮し、ユーザによって提供されるネットワークスライス選択支援パラメータ、ユーザ加入情報、ユーザコンテキスト、および５Ｇポリシーから取得可能な関連するスライス選択ポリシーに従って、ＵＥに適切なネットワークスライスを選択するためのものである。
【０１３０】
ステップ４０５：スライス選択制御機能エンティティは、ネットワークスライス選択情報をＲＡＮに伝送する。
【０１３１】
前記ネットワークスライス選択情報は、ネットワークスライスの制御プレーン機能ＩＤ、またはネットワークスライスの制御プレーン機能の集合ＩＤ（ネットワークスライの制御プレーン機能のＧｒｏｕｐ−ＩＤとも呼ばれる）を含む。
【０１３２】
ステップ４０６：ＲＡＮは、スライス選択制御機能エンティティからリターンされたスライス選択結果を保存するか、元の保持されたネットワークスライス選択対応関係テーブルを更新する。
【０１３３】
前記ネットワークスライス選択対応関係テーブルには、ネットワークスライス選択支援パラメータ（例えば、Ｓｌｉｃｅ−ＩＤ、サービスタイプなど）と対応するネットワークスライス選択情報との対応関係が記録されている。ネットワークスライス選択情報は、ネットワークスライス制御プレーン機能（例えばネットワークスライス制御プレーン機能ＩＤまたはネットワークスライス制御プレーン機能Ｇｒｏｕｐ−ＩＤ）を含むが、これらに限定されない。
【０１３４】
ステップ４０７：ＲＡＮ側は、ユーザを対応するネットワークスライにルーティングする。
【０１３５】
ＲＡＮは、スライス選択制御機能エンティティからネットワークスライス選択情報を取得したとき、スライス選択制御機能エンティティによって伝送されたネットワークスライス選択情報に従って、ネットワークスライの選択プロセスを実行する。
【０１３６】
例えば、スライスの選択結果がネットワークスライス制御プレーン機能ＩＤである場合、ＲＡＮは、ドメインネームシステム（Ｄｏｍａｉｎ Ｎａｍｅ Ｓｙｓｔｅｍ（ＤＮＳ））から、対応するネットワーク機能のＩＰアドレスを検索し取得する。ネットワークスライス選択情報がネットワークスライス制御プレーン機能Ｇｒｏｕｐ−ＩＤである場合、ＲＡＮは、現在のプールにおけるネットワークスライス制御プレーン機能の負荷を取得して負荷平均化し、対応するネットワークスライス制御プレーン機能をＤＮＳクエリによって選択する。
【０１３７】
ＲＡＮではネットワークスライス選択支援パラメータとネットワークスライス制御プレーン機能ＩＤまたはＧｒｏｕｐ−ＩＤとの対応関係が保持されている場合、ＲＡＮは、前記ステップ４０２〜４０６のプロセスを実行せず、保持された対応関係に従ってネットワークスライを選択することができる。
【０１３８】
ステップ４０８：ユーザのネットワークスライへのアクセスの認証および認可を実行する。
【０１３９】
例えば、ネットワークスライス制御プレーン機能は、加入データベース（ＤＡＴＡ）と相互にやり取りして、ユーザのネットワークスライスへのアクセスを認証する。
【０１４０】
ネットワークスライス制御プレーン機能から認証要求が発行された場合、加入データベース（ＤＡＴＡ）は、現在のネットワークスライス制御プレーン機能によるＰＬＭＮ下のユーザ加入情報をフィードバックし、ネットワークスライス制御プレーン機能は、加入情報に基づいて、ユーザの選択されたネットワークスライス制御プレーン機能へのアクセスの許可を判定し、ユーザのネットワークスライスへのアクセスの認証および認可を実行することができる。
【０１４１】
この場合は、ネットワークスライス選択のエラープロセスを考慮し、以下のシナリオ１およびシナリオ２に分けることができる。
【０１４２】
シナリオ１：選択に失敗したので、ＵＥのアクセスを拒否する。スライス選択制御機能エンティティを介せずに、ＲＡＮに保持された対応関係に従って直接選択すれば、ＲＡＮに保持された対応関係の期限切れ、ＵＥの加入情報の変更などの原因で、選択されたネットワークスライがＵＥにマッチせず、ネットワークスライへのＵＥアクセスが失敗した場合、ＲＡＮは、“付着エラー（Ａｔｔａｃｈ Ｅｒｒｏｒ）”の情報を受け取り、ネットワークスライス選択支援パラメータをスライス選択制御機能エンティティに再送し、ステップ４０２〜４０６を実行して、正しいスライス選択情報を取得し、後続の付着プロセスを実行する。
【０１４３】
シナリオ２：選択に成功したので、ＵＥアクセスを許可する。ＵＥは、正しいネットワークスライスを選択し、後続の付着プロセスを実行する。
【０１４４】
なお、ユーザのネットワークスライスへのアクセスの認証は、ステップ４０４におけるスライス選択制御機能エンティティによるネットワークスライス制御プレーン機能ＩＤまたはネットワークスライス制御プレーン機能Ｇｒｏｕｐ−ＩＤの選択の後に実行してもよい。
【０１４５】
ステップ４０９：後続の付着（attach）プロセスが完成する。
【０１４６】
本実施形態では、ネットワークスライス選択が必要な場合、ネットワークスライスのポートを特に設定することなく、ネットワークスライス識別子またはサービスタイプに基づいてネットワークスライスを柔軟に選択することができる。さらに、異なるネットワークサービス機能が異なるネットワークスライスに対応するので、様々なサービス間の相互影響を回避したため、ネットワーク安定性はより高い。スライス選択制御機能エンティティとネットワークスライスとの間にシグナリングのやりとりがなく、ネットワークスライスの外部へのインタフェースの数を減らした。さらに、ＲＡＮ側ではネットワークスライス選択対応関係テーブルが記憶されているので、ＵＥがネットワークスライスに複数回アクセスするときにスライス選択機能に繰り返しアクセスすることによってネットワークスライス選択情報を取得することが回避された。
【０１４７】
上述した実施形態に基づいて、ネットワークに新たにネットワークスライスが作成される場合、エンドツーエンドネットワークスライスの管理および編成のために、ネットワークスライスにＳｌｉｃｅ−ＩＤ、対応するスライス選択制御機能エンティティなどを配置し、スライス選択制御機能エンティティにおける対応関係を更新し、新しいネットワークスライスの追加をネットワークに通知する必要がある。
【０１４８】
図５を参照すると、図５はネットワークスライスを追加するフローチャートである。図５は具体的に、ステップ５０１〜ステップ５０９を含む。
【０１４９】
ステップ５０１：エンドツーエンドスライス管理および編成機能は、新たなネットワークスライスを生成するとともに、ネットワークスライス機能管理にスライス追加コマンドを発行し、ネットワークへの新たなネットワークスライスの追加を指示する。
【０１５０】
ステップ５０２：ネットワーク要素管理機能は、新たなネットワークスライスに新たなネットワークスライス制御プレーン機能ＩＤまたはネットワークスライス制御プレーン機能Ｇｒｏｕｐ−ＩＤを割り当てる。
【０１５１】
ステップ５０３：新たなネットワークスライス制御プレーン機能ＩＤまたはネットワークスライス制御プレーン機能Ｇｒｏｕｐ−ＩＤをネットワーク要素管理機能にリターンする。
【０１５２】
ステップ５０４：新たなネットワークスライスの追加の成功をエンドツーエンドスライス管理および編成に通知する。
【０１５３】
ステップ５０５：エンドツーエンドスライス管理および編成機能は、スライス選択機能配置モジュールにネットワークスライスの対応関係を通知する。
【０１５４】
ステップ５０６：スライス選択機能配置モジュールは、スライス選択制御プレーン機能エンティティにおけるＳｌｉｃｅ−ＩＤと新たなネットワークスライス制御プレーン機能ＩＤまたはＧｒｏｕｐ−ＩＤとの対応関係の更新要求を発行する。
【０１５５】
スライス選択制御機能エンティティに、ネットワークスライス選択支援パラメータ（例えばＳｌｉｃｅ−ＩＤ、サービスタイプなど）と対応するスライス選択情報との対応関係を記録したネットワークスライス選択対応関係テーブルが記憶されている。前記ネットワークスライス選択情報は、スライス選択制御機能エンティティによる選択の結果であり、対応するネットワークスライスの制御プレーン機能識別子（制御プレーン機能ＩＤ）または制御プレーン機能集合識別子（制御プレーン機能Ｇｒｏｕｐ−ＩＤ）であってもよい。
【０１５６】
ステップ５０７：スライス選択制御機能エンティティは、エンドツーエンドスライス管理および編成機能によって伝送された情報に従って更新を行う。
【０１５７】
ステップ５０８：エンドツーエンドスライス管理および編成機能は、加入データベース（ＤＡＴＡ）におけるネットワークスライス選択情報（新たに追加したネットワークスライス選択情報、スライス注文/加入関係など）を更新する。
【０１５８】
ステップ５０９：更新が完成する。
【０１５９】
本実施形態では、選択する際に、異なるネットワークサービス機能が異なるネットワークスライスに対応するので、様々なサービス間の相互影響を回避したため、ネットワーク安定性はより高い。統合的なエンドツーエンドスライス管理および編成機能によっては、ネットワークスライスを柔軟かつ迅速に更新および維持することができる。異なるスライスを有するネットワークスライスは互いに隔離されている。
【０１６０】
上述した実施形態に基づいて、図６を参照すると、図６は、本開示の実施形態に係るネットワークスライスの削除のフローチャートである。ネットワークスライスをネットワークから削除する場合、このネットワークスライスのＳｌｉｃｅ−ＩＤおよび対応関係の削除を関連するネットワークに通知する必要がある。ネットワークスライスの削除に関するフローは、ステップ６０１〜ステップ６０５を含む。
【０１６１】
ステップ６０１：エンドツーエンドスライス管理および編成機能は、ネットワークスライスの削除を発行するとともに、削除しようとするスライスの情報（例えば、Ｓｌｉｃｅ−ＩＤ、対応するネットワークスライス制御プレーン機能ＩＤあるいはネットワークスライス制御プレーン機能Ｇｒｏｕｐ−ＩＤなど）をスライス選択機能配置機能に知らせる。
【０１６２】
ステップ６０２：スライス選択機能配置機能は、スライス選択制御機能エンティティにおける対応関係の更新コマンドを発行する。
【０１６３】
ステップ６０３：スライス選択制御機能エンティティは、記憶された対応関係（例えば、Ｓｌｉｃｅ−ＩＤと削除されるスライスの対応関係）を削除する。
【０１６４】
ステップ６０４：スライス管理および編成機能は、加入データベース（ＤＡＴＡ）から対応するスライスの注文/加入関係などを削除する。
【０１６５】
ステップ６０５：ネットワークスライスの削除フローは完成する。
【０１６６】
本実施形態では、異なるネットワークサービス機能が異なるネットワークスライスに対応するので、様々なサービス間の相互影響を回避したため、ネットワーク安定性はより高い。統合的なエンドツーエンドスライス管理および編成機能によっては、ネットワークスライスを柔軟かつ迅速に更新および維持することができる。異なるスライスを有するネットワークスライスは互いに隔離されている。
【０１６７】
前記実施形態に基づいて、図７を参照すると、図７は、本開示の実施形態に係るネットワークスライスの更新のフローチャートである。Ｓｌｉｃｅ−ＩＤは変わらないが、対応するネットワークスライス制御プレーン機能ＩＤまたはＧｒｏｕｐ−ＩＤは変更されている（ネットワークスライス制御プレーン機能ＩＤまたはＧｒｏｕｐ−ＩＤの更新）。ネットワークスライスが更新されると、Ｓｌｉｃｅ−ＩＤに対応するネットワークスライス制御プレーン機能を変更する必要がある場合、スライス選択制御機能エンティティ、ＲＡＮにおけるスライス対応関係またはＳｌｉｃｅ−ＩＤの変更、ネットワークスライス制御プレーン機能とＳｌｉｃｅ−ＩＤとの対応関係の更新を相応のフローによってスライス選択制御機能エンティティに直ちに通知する必要がある。図７は、具体的に、ステップ７０１〜ステップ７０６を含む。
【０１６８】
ステップ７０１：元のスライスが削除されるか、または新たにネットワークスライス識別子のＳｌｉｃｅ−ＩＤが割り当てられるとともに、新たなネットワークスライス制御プレーン機能ＩＤまたはＧｒｏｕｐ−ＩＤを新たなスライスに割り当てる。
【０１６９】
ステップ７０２：エンドツーエンドスライス管理および編成機能は、元のＳｌｉｃｅ−ＩＤと新たなネットワークスライス制御プレーン機能ＩＤまたはＧｒｏｕｐ−ＩＤとの対応関係を更新する。
【０１７０】
ステップ７０３：スライス選択機能配置機能は、対応関係をスライス選択制御機能エンティティに通知する。
【０１７１】
ステップ７０４：スライス選択制御機能エンティティは、新たな対応関係（Ｓｌｉｃｅ−ＩＤと新たなネットワークスライス制御プレーン機能ＩＤまたはＧｒｏｕｐ−ＩＤとの対応関係）を更新する。
【０１７２】
ステップ７０５：エンドツーエンドスライス管理および編成機能は、ユーザの注文/加入関係の変更を加入データベース（ＤＡＴＡ）に通知する。
【０１７３】
ステップ７０６：ネットワークスライスの更新が完成する。
【０１７４】
図８を参照すると、図８は、本開示の実施形態に係るネットワークスライスの更新のフローチャートである。ネットワークスライスが更新されると、新たなネットワークスライスに元のＳｌｉｃｅ−ＩＤが付けられているので、元のネットワークスライスに新たなＳｌｉｃｅ−ＩＤを割り当て、スライス選択制御機能エンティティ、ＲＡＮにおけるスライス対応関係またはＳｌｉｃｅ−ＩＤの変更、新たなネットワークスライス制御プレーン機能とＳｌｉｃｅ−ＩＤとの対応関係の更新を相応のフローによってスライス選択制御機能エンティティに直ちに通知する必要がある。図８は、具体的に、ステップ８０１〜ステップ８０６を含む。
【０１７５】
ステップ８０１：元のスライスが削除されるか、または新たなネットワークスライス識別子のＳｌｉｃｅ−ＩＤが割り当てられる。
【０１７６】
ステップ８０２：エンドツーエンドスライス管理および編成機能は、元のＳｌｉｃｅ−ＩＤと新たなネットワークスライス制御プレーン機能ＩＤまたはＧｒｏｕｐ−ＩＤとの対応関係を更新する。
【０１７７】
ステップ８０３：スライス選択機能配置機能は、対応関係をスライス選択制御機能エンティティに通知する。
【０１７８】
ステップ８０４：スライス選択制御機能エンティティは、新たな対応関係（Ｓｌｉｃｅ−ＩＤと新たなネットワークスライス制御プレーン機能ＩＤまたはＧｒｏｕｐ−ＩＤとの対応関係）を更新する。
【０１７９】
ステップ８０５：エンドツーエンドスライス管理および編成機能は、ユーザの注文/加入関係の変更を加入データベース（ＤＡＴＡ）に通知する。
【０１８０】
ステップ８０６：ネットワークスライスの更新が完成する。
【０１８１】
なお、スライス選択機能配置モジュールおよびネットワーク要素管理モジュールは、２つの別個のネットワーク機能であってもよく、またはネットワーク管理と同様に、組み合わせた単一のネットワーク機能であってもよい。
【０１８２】
なお、スライス選択機能配置モジュールは、エンドツーエンド管理機能の１つであってもよく、エンドツーエンド管理機能によってスライス選択機能の配置が実現されてもよい。
【０１８３】
図９を参照すると、図９は、本開示の実施形態に係るスライス選択制御機能エンティティのブロック図である。このスライス選択制御機能エンティティ９００は、第１受信モジュール９０１と第１決定モジュール９０２とを備える。
【０１８４】
第１受信モジュール９０１は、スライス選択ポリシー、ユーザ加入情報、ネットワークスライス選択支援パラメータ、およびユーザコンテキストのうち１つまたは複数を取得する。
【０１８５】
第１決定モジュール９０２は、前記スライス選択ポリシー、ユーザ加入情報、ネットワークスライス選択支援パラメータおよびユーザコンテキストのうち１つまたは複数に基づいて、ネットワークスライス選択情報を決定し、決定された前記ネットワークスライス選択情報を前記スライスルーティング機能エンティティに送信することにより、前記スライスルーティング機能エンティティによってシグナリングまたはデータルーティングを実行する。
【０１８６】
オプションとして、第１受信モジュール９０１は具体的に、スライスルーティング機能エンティティまたはアクセスネットワークによって送信された、ネットワークスライス選択支援パラメータおよび/またはユーザコンテキストが添付された付着要求を受信する。
【０１８７】
オプションとして、第１受信モジュール９０１は具体的に、第５世代移動通信網５Ｇポリシーネットワーク機能エンティティからスライス選択ポリシーを取得する。
【０１８８】
オプションとして、第１受信モジュール９０１は具体的に、加入データベースＤＡＴＡからユーザ加入情報を取得する。
【０１８９】
オプションとして、本実施形態では、前記スライスルーティング機能エンティティは、アクセスネットワーク側、コアネットワーク側、またはコアネットワークとアクセスネットワークとの間に配置されるか、あるいはスライス選択制御機能エンティティと結合されており、スライス選択制御機能エンティティは、アクセスネットワークまたはコアネットワークに配置されるか、またはアクセスネットワークおよびコアネットワークとは独立したネットワーク機能エンティティである。
【０１９０】
オプションとして、本実施形態では、前記ネットワークスライス選択支援パラメータは、ネットワークスライス識別子、サービスタイプ、ネットワークスライス記述シンボル、端末利用タイプ、およびテナント識別子のいずれか１つである。
【０１９１】
オプションとして、前記ネットワークスライス識別子は、ネットワークスライスタイプ識別子および/またはネットワークスライスインスタンス識別子を含む。
【０１９２】
前記ネットワークスライス識別子には、例えば、識別拡張モバイルブロードバンド（ｅＭＢＢ）スライス、モノのインターネット（Internet of Things(ＩｏＴ)）スライスなどのネットワークスライスのタイプ識別子、およびネットワークスライスインスタンス識別子（１つのネットワークスライスには複数のエンティティがある可能で、たとえば、ｅＭＢＢスライスには複数のインスタンス化されたエンティティがある）という２つの部分があることができる。
【０１９３】
なお、本実施形態では、ネットワークスライス識別子は、ネットワークスライスタイプ識別子及びネットワークスライスインスタンス識別子を含む。ローミングシナリオでは、コアネットワークは、ネットワークスライス識別子に基づいて完全認定ドメイン名/フルネームドメイン（Ｆｕｌｌｙ Ｑｕａｌｉｆｉｅｄ Ｄｏｍａｉｎ Ｎａｍｅ(ＦＱＤＮ)）を構築し、対応するネットワークスライスまたは対応するネットワークスライス制御プレーン機能を見つけることができる。このスライスタイプ（ｓｌｉｃｅ ｔｙｐｅ）識別子は、ユーザローミングの場合、ユーザのオペレータ（例えば、チャイナモバイル、チャイナユニコムまたは中国電信）、およびネットワークの種類（例えば４Ｇ、３Ｇなど）を確定し、次に、スライスタイプ識別子に従って対応する公衆陸上移動ネットワーク（Ｐｕｂｌｉｃ Ｌａｎｄ Ｍｏｂｉｌｅ Ｎｅｔｗｏｒｋ(ＰＬＭＮ)）を識別した後、アクセス先のオペレータによって、ネットワークスライスインスタンス識別子に従って、ユーザをネットワークスライスインスタンス識別子（ｉｎｓｔａｎｃｅ ｉｄ）に対応するネットワークスライスにアクセスさせるために使用されることができる。
【０１９４】
オプションとして、本実施形態では、前記ネットワークスライス選択情報は、ユーザによってアクセスされるネットワークスライスの制御プレーン機能の識別子または制御プレーン機能の集合の識別子である。
【０１９５】
ネットワークスライス選択が必要な場合、ネットワークスライスのポートを特に設定することなく、ネットワークスライス識別子またはサービスタイプに基づいてネットワークスライスを柔軟に選択することができる。さらに、異なるネットワークサービス機能が異なるネットワークスライスに対応するので、様々なサービス間の相互影響を回避したため、ネットワーク安定性はより高い。スライス選択制御機能エンティティとネットワークスライスとの間にシグナリングのやりとりがなく、ネットワークスライスの外部へのインタフェースの数を減らした。
【０１９６】
図１０を参照すると、図１０は、本開示の実施形態に係るネットワークスライス選択装置のブロック図である。このネットワークスライス選択装置は、スライスルーティング機能エンティティまたはアクセスネットワーク側デバイスであってもよい。この装置１０００は、第２受信モジュール１００１と第１処理モジュール１００２とを備える。
【０１９７】
第２受信モジュール１００１は、スライス選択ポリシー、ユーザ加入情報、ネットワークスライス選択支援パラメータおよびユーザコンテキストのうち１つまたは複数に基づいてスライス選択制御機能エンティティによって決定し送信されたネットワークスライス選択情報を受信する。
【０１９８】
第１処理モジュール１００２は、前記ネットワークスライス選択情報に従ってシグナリングまたはデータルーティングを実行する。
【０１９９】
オプションとして、本実施形態では、前記スライスルーティング機能エンティティは、ネットワークスライス識別子を端末に送信することにより、受信したネットワークスライス識別子に従って記憶されたネットワークスライス識別子を前記端末によって更新する第１送信モジュールをさらに備える。
【０２００】
オプションとして、本実施形態では、前記ネットワークスライス選択支援パラメータおよび/またはユーザコンテキストは、（スライスルーティング機能エンティティまたはアクセスネットワークからの）受信した付着要求から前記スライス選択制御機能エンティティによって受信される。
【０２０１】
前記スライス選択ポリシーは、５Ｇポリシーネットワーク機能エンティティから前記スライス選択制御機能エンティティによって取得される。
【０２０２】
前記ユーザ加入情報は、加入データベースから前記スライス選択制御機能エンティティによって取得される。
【０２０３】
オプションとして、本実施形態では、前記スライスルーティング機能エンティティは、アクセスネットワーク側、コアネットワーク側、またはコアネットワークとアクセスネットワークとの間に配置されるか、あるいはスライス選択制御機能エンティティと結合される。前記スライス選択制御機能エンティティは、アクセスネットワークまたはコアネットワークに配置されるか、またはアクセスネットワークおよびコアネットワークとは独立したネットワーク機能エンティティである。
【０２０４】
オプションとして、本実施形態では、前記ネットワークスライス選択支援パラメータは、ネットワークスライス識別子、サービスタイプ、ネットワークスライス記述シンボル、端末利用タイプ、およびテナント識別子のいずれか１つである。
【０２０５】
オプションとして、前記ネットワークスライス識別子は、ネットワークスライスタイプ識別子および/またはネットワークスライスインスタンス識別子を含む。
【０２０６】
前記ネットワークスライス識別子には、例えば、識別拡張モバイルブロードバンド（ｅＭＢＢ）スライス、モノのインターネット（Ｉｎｔｅｒｎｅｔ ｏｆ Ｔｈｉｎｇｓ(ＩｏＴ)）スライスなどのネットワークスライスのタイプ識別子、およびネットワークスライスインスタンス識別子（１つのネットワークスライスには複数のエンティティがある可能で、たとえば、ｅＭＢＢスライスには複数のインスタンス化されたエンティティがある）という２つの部分があることができる。
【０２０７】
なお、本実施形態では、ネットワークスライス識別子は、ネットワークスライスタイプ識別子及びネットワークスライスインスタンス識別子を含む。ローミングシナリオでは、コアネットワークは、ネットワークスライス識別子に基づいて完全認定ドメイン名/フルネームドメイン（Ｆｕｌｌｙ Ｑｕａｌｉｆｉｅｄ Ｄｏｍａｉｎ Ｎａｍｅ(ＦＱＤＮ)）を設定し、対応するネットワークスライスまたは対応するネットワークスライス制御プレーン機能を見つけることができる。このスライスタイプ（ｓｌｉｃｅ ｔｙｐｅ）識別子は、ユーザローミングの場合、ユーザのオペレータ（例えば、チャイナモバイル、チャイナユニコムまたは中国電信）、およびネットワークの種類（例えば４Ｇ、３Ｇなど）を確定し、次に、スライスタイプ識別子に従って対応する公衆陸上移動ネットワーク（Ｐｕｂｌｉｃ Ｌａｎｄ Ｍｏｂｉｌｅ Ｎｅｔｗｏｒｋ(ＰＬＭＮ)）を識別した後、アクセス先のオペレータによって、ネットワークスライスインスタンス識別子に従って、ユーザをネットワークスライスインスタンス識別子（ｉｎｓｔａｎｃｅ ｉｄ）に対応するネットワークスライスにアクセスさせるために使用されることができる。
【０２０８】
オプションとして、本実施形態では、前記ネットワークスライス選択情報は、ユーザによってアクセスされるネットワークスライスの制御プレーン機能の識別子または制御プレーン機能の集合の識別子である。
【０２０９】
オプションとして、前記ネットワークスライスの制御プレーン機能の識別子または制御プレーン機能の集合の識別子は、前記ネットワークスライスのネットワークスライス識別子に対応する。
【０２１０】
オプションとして、本実施形態では、前記スライスルーティング機能エンティティは、ネットワークスライス選択支援パラメータまたはネットワークスライス識別子とネットワークスライス選択情報との対応関係を記録したネットワークスライス選択対応関係テーブルを前記スライス選択制御機能エンティティから取得する記憶モジュールをさらに備える。
【０２１１】
オプションとして、本実施形態では、前記スライスルーティング機能エンティティは、付着要求を受信する第３受信モジュールと、ネットワークスライス選択対応関係テーブルおよび前記付着要求に基づいて、ネットワークスライス選択情報を決定する第２決定モジュールと、前記ネットワークスライス選択情報に基づいてシグナリングまたはデータルーティングを実行する第２処理モジュールとをさらに備える。
【０２１２】
オプションとして、本実施形態では、前記スライスルーティング機能エンティティは、前記ネットワークスライス対応関係テーブルを更新する必要の場合、新しいネットワークスライス選択支援パラメータとネットワークスライス選択情報との対応関係を前記スライス選択制御機能エンティティから取得する第４受信モジュールと、新しいネットワークスライス選択支援パラメータとネットワークスライス選択情報との対応関係を用いて、前記ネットワークスライス選択対応関係テーブルを更新する更新モジュールとをさらに備える。
【０２１３】
オプションとして、前記スライスルーティング機能エンティティは、付着エラー情報を受信した場合、スライス選択制御機能エンティティにネットワークスライス選択支援パラメータを再送することにより、正しいスライス選択情報を取得する再送モジュールを備える。
【０２１４】
ネットワークスライス選択が必要な場合、ネットワークスライスのポートを特に設定することなく、ネットワークスライス識別子またはサービスタイプに基づいてネットワークスライスを柔軟に選択することができる。さらに、異なるネットワークサービス機能が異なるネットワークスライスに対応するので、様々なサービス間の相互影響を回避したため、ネットワーク安定性はより高い。スライス選択制御機能エンティティとネットワークスライスとの間にシグナリングのやりとりがなく、ネットワークスライスの外部へのインタフェースの数を減らした。なお、ＲＡＮ側では、ネットワークスライス選択対応関係テーブルを記憶しておき、ネットワークスライス選択対応関係テーブルを直接検索し、ネットワークスライス選択情報を取得することにより、ＵＥがネットワークスライスに複数回アクセスするときにスライス選択機能に繰り返しアクセスすることによってネットワークスライス選択情報を取得することが回避された。
【０２１５】
図１１を参照すると、図１１は、本開示の実施形態に係るネットワークスライス選択方法のフローチャートである。図１１に示す方法は、ステップ１１０１〜ステップ１１０３を含む。
【０２１６】
ステップ１１０１：ネットワークスライスタイプ識別子およびネットワークスライスインスタンス識別子を含むネットワークスライス識別子を取得する。
【０２１７】
前記ネットワークスライス識別子には、例えば、識別拡張モバイルブロードバンド（ｅＭＢＢ）スライス、モノのインターネット（Ｉｎｔｅｒｎｅｔ ｏｆ Ｔｈｉｎｇｓ(ＩｏＴ)）スライスなどのネットワークスライスのタイプ識別子、およびネットワークスライスインスタンス識別子（１つのネットワークスライスには複数のエンティティがある可能で、たとえば、ｅＭＢＢスライスには複数のインスタンス化されたエンティティがある）という２つの部分があることができる。
【０２１８】
ステップ１１０２：前記ネットワークスライスタイプ識別子に基づいて対応する公衆地上モバイルネットワークＰＬＭＮを識別する。
【０２１９】
オプションとして、前記ネットワークスライスタイプ識別子に基づいて、オペレータおよびネットワークタイプを確定し、確定されたオペレータおよびネットワークタイプに従って、対応するＰＬＭＮを識別する。
【０２２０】
ステップ１１０３：ネットワークスライスインスタンス識別子に従って、ユーザをネットワークスライスインスタンス識別子に対応するネットワークスライスにアクセスさせる。
【０２２１】
ローミングシナリオでは、コアネットワークは、ネットワークスライス識別子に基づいて完全認定ドメイン名/フルネームドメイン（Ｆｕｌｌｙ Ｑｕａｌｉｆｉｅｄ Ｄｏｍａｉｎ Ｎａｍｅ(ＦＱＤＮ)）を設定し、対応するネットワークスライスまたは対応するネットワークスライス制御プレーン機能を見つけることができる。このスライスタイプ（ｓｌｉｃｅ ｔｙｐｅ）識別子は、ユーザローミングの場合、ユーザのオペレータ（例えば、チャイナモバイル、チャイナユニコムまたは中国電信）、およびネットワークの種類（例えば４Ｇ、３Ｇなど）を確定し、次に、スライスタイプ識別子に従って対応する公衆陸上移動ネットワーク（Ｐｕｂｌｉｃ Ｌａｎｄ Ｍｏｂｉｌｅ Ｎｅｔｗｏｒｋ(ＰＬＭＮ)）を識別した後、アクセス先のオペレータによって、ネットワークスライスインスタンス識別子に従って、ユーザをネットワークスライスインスタンス識別子（ｉｎｓｔａｎｃｅ ｉｄ）に対応するネットワークスライスにアクセスさせるために使用されることができる。
【０２２２】
図１２を参照すると、図１２は、本開示の実施形態に係るネットワークスライス選択装置のブロック図である。装置１２００は、ネットワークスライスタイプ識別子およびネットワークスライスインスタンス識別子を含むネットワークスライス識別子を取得する取得モジュール１２０１と、前記ネットワークスライスタイプ識別子に基づいて、対応する公衆地上モバイルネットワークＰＬＭＮを識別する選択モジュール１２０２と、前記ネットワークスライスインスタンス識別子に基づいて、ユーザをネットワークスライスインスタンス識別子に対応するネットワークスライスにアクセスさせるアクセスモジュール１２０３と、を備える。
【０２２３】
オプションとして、前記選択モジュールはさらに、前記ネットワークスライスタイプ識別子に基づいて、オペレータおよびネットワークタイプを確定し、確定されたオペレータおよびネットワークタイプに従って、対応するＰＬＭＮを識別する。
【０２２４】
ローミングシナリオでは、コアネットワークは、ネットワークスライス識別子に基づいて完全認定ドメイン名/フルネームドメイン（Ｆｕｌｌｙ Ｑｕａｌｉｆｉｅｄ Ｄｏｍａｉｎ Ｎａｍｅ(ＦＱＤＮ)）を設定し、対応するネットワークスライスまたは対応するネットワークスライス制御プレーン機能を見つけることができる。このスライスタイプ（ｓｌｉｃｅ ｔｙｐｅ）識別子は、ユーザローミングの場合、ユーザのオペレータ（例えば、チャイナモバイル、チャイナユニコムまたは中国電信）、およびネットワークの種類（例えば４Ｇ、３Ｇなど）を確定し、次に、スライスタイプ識別子に従って対応する公衆陸上移動ネットワーク（Ｐｕｂｌｉｃ Ｌａｎｄ Ｍｏｂｉｌｅ Ｎｅｔｗｏｒｋ(ＰＬＭＮ)）を識別した後、アクセス先のオペレータによって、ネットワークスライスインスタンス識別子に従って、ユーザをネットワークスライスインスタンス識別子（ｉｎｓｔａｎｃｅ ｉｄ）に対応するネットワークスライスにアクセスさせるために使用されることができる。
【０２２５】
本開示は、ステップ１３０１およびステップ１３０２を含むネットワークスライス選択方法をさらに提供する。
【０２２６】
ステップ１３０１：端末に持たれたメッセージにネットワークスライス選択支援パラメータのフィールドが存在しない場合、スライスルーティング機能エンティティまたはアクセスネットワーク側デバイスが、端末に持たれたメッセージをスライス選択制御機能エンティティに送信することにより、スライス選択制御機能エンティティによって、端末に適切なネットワークスライスを選択して、スライスルーティング機能エンティティまたはアクセスネットワーク側デバイスに送信する。
【０２２７】
ステップ１３０２：前記スライスルーティング機能エンティティまたはアクセスネットワーク側デバイスが、前記スライスルーティング機能エンティティまたはアクセスネットワーク側デバイスによって選択されたネットワークスライスのネットワークスライス識別子を前記端末に送信し、前記端末によって付着要求を再送する。
【０２２８】
本開示は、ネットワークスライス選択装置をさらに提供する。この装置は、端末に持たれたメッセージにネットワークスライス選択支援パラメータのフィールドが存在しない場合、端末に持たれたメッセージをスライス選択制御機能エンティティに送信することにより、前記スライス選択制御機能エンティティによって、前記端末に適切なネットワークスライスを選択して、前記スライスルーティング機能エンティティまたはアクセスネットワーク側デバイスに送信する第２送信モジュールと、前記スライスルーティング機能エンティティまたはアクセスネットワーク側デバイスによって選択されたネットワークスライスのネットワークスライス識別子を前記端末に送信し、前記端末によって付着要求を再送する第３処理モジュールと、を備える。
【０２２９】
本開示は、ステップ１４０１およびステップ１４０２を含むネットワークスライス選択方法をさらに提供する。
【０２３０】
ステップ１４０１：エンドツーエンドスライス管理および編成機能エンティティが、新たなネットワークスライスを追加するコマンド、ネットワークスライスを削除するコマンド、およびネットワークスライス識別子を更新するコマンドのいずれか１つの制御コマンドを送信する。
【０２３１】
ステップ１４０２：エンドツーエンドスライス管理および編成機能エンティティが、対応関係の更新メッセージをスライス選択制御機能エンティティに送信することにより、前記スライス選択制御機能エンティティによって、ネットワークスライス識別子とネットワークスライスの制御プレーン機能の識別子またはネットワークスライスの制御プレーン機能の集合の識別子との対応関係を更新するステップと、を含む。
【０２３２】
本開示では、ネットワークスライス選択装置がさらに提供される。この装置は、新たなネットワークスライスを追加するコマンド、ネットワークスライスを削除するコマンド、およびネットワークスライス識別子を更新するコマンドのいずれか１つの制御コマンドを送信する第３送信モジュールと、対応関係の更新メッセージをスライス選択制御機能エンティティに送信することにより、前記スライス選択制御機能エンティティによって、ネットワークスライス識別子とネットワークスライスの制御プレーン機能の識別子またはネットワークスライスの制御プレーン機能の集合の識別子との対応関係を更新する第４送信モジュールと、を備える。
【０２３３】
本開示では、記述したようなネットワークスライス選択装置を備えるネットワークアーキテクチャが提供される。
【０２３４】
明細書における「実施形態」または「一実施形態」という用語は、実施形態に関する特定の特徴、構造または特性が本公開の少なくとも１つの実施形態に含まれることを表す。このため、説明書全体に現れた「実施形態では」あるいは「一実施形態では」は必ずしも同じ実施形態を指すとは限らない。なお、これらの特定の特徴、構造または特性は１つまたは複数の実施形態に任意に組み合わせることができる。
【０２３５】
本開示の様々な実施形態において、上述した各プロセスの番号の大小は、実行順序を意味するものではなく、各プロセスの実行順序は、その機能および内部ロジックによって決定されるべきであり、本開示の実施形態の実現を制限するのではない。
【０２３６】
さらに、「システム」および「ネットワーク」という用語は、本明細書では交換可能に使用される。
【０２３７】
明細書における「および/または」という用語は、関連対象の関連関係を記述するために使用され、例えば、Ａおよび/またはＢは、Ａが独立に存在する、Ａ及びＢが同時に存在する、またはＢが独立に存在するという３つの状況を表す。さらに、文字「/」は、一般に、前後の関連対象が「または」関係にあることを表す。
【０２３８】
本明細書で提供される実施形態において、「Ａに対応するＢ」は、ＢがＡに関連し、ＢがＡに基づいて確定されることができることを表す。しかしながら、Ａに基づいてＢを確定することは、ＢがＡに基づいてのみ確定されることを意味するのではなく、Ａおよび/または他の情報に基づいて確定されてもよいことを理解されたい。
【０２３９】
本出願の実施形態において、開示される方法および装置は、他の方法で実施され得ることを理解されたい。例えば、上記の装置の実施形態は単なる例示であり、例えば、ユニットの区分は論理的な機能区分のみで、実際の実装の際に、複数のユニットや構成要素を組み合わせたり、 別のシステムに統合することも、一部の機能を無視することも、実行しないこともできる。さらに、本明細書に示されまたは論じられた結合または直接結合または通信接続は、いくつかのインタフェース、デバイスまたはユニットを介する間接的な結合または通信接続であってもよく、電気的、機械的または他の方法であってもよい。
【０２４０】
さらに、本開示の様々な実施形態における各機能ユニットは、１つの処理ユニットに統合されてもよく、または各ユニットに物理的に別々に含まれてもよく、さらに、２つ以上のユニットが１つのユニットに統合されてもよい。上記の統合ユニットは、ハードウェアの形態で、またはハードウェアとソフトウェア機能ユニットの形態で具現化することができる。
【０２４１】
ソフトウェア機能ユニットの形態で具現化された統合ユニットは、コンピュータ可読記憶媒体に格納することができる。上記のソフトウェア機能部は、記憶媒体に格納され、コンピュータ装置（パーソナルコンピュータ、サーバ、ネットワーク側のデバイスなど）に、本開示の様々な実施形態の送受信方法のステップの一部を実行させるための複数の命令を含む。上記記憶媒体には、プログラムコードを格納することができるＵディスク、モバイルハードディスク、ＲＯＭ（Ｒｅａｄ−Ｏｎｌｙ Ｍｅｍｏｒｙ）、ＲＡＭ（Ｒａｎｄｏｍ Ａｃｃｅｓｓ Ｍｅｍｏｒｙ）、磁気ディスク、光ディスクなどの媒体が含まれる。
【０２４２】
上記は、本開示の好ましい実施形態であり、当業者は、本開示の原理から逸脱することなく、いくつかの改善および修正を行うことができる。これらの改善および修正は本開示の保護の範囲内である。
【符号の説明】
【０２４３】
９００    スライス選択制御機能エンティティ
９０１    第１受信モジュール
９０２    第１決定モジュール
１０００  装置
１００１  第２受信モジュール
１００２  第１処理モジュール
１２００  装置
１２０１  取得モジュール
１２０２  選択モジュール
１２０３  アクセスモジュール
【図１】
2019520763.tif 000003
【図２】
2019520763.tif 000004
【図３】
2019520763.tif 000005
【図４】
2019520763.tif 000006
【図５】
2019520763.tif 000007
【図６】
2019520763.tif 000008
【図７】
2019520763.tif 000009
【図８】
2019520763.tif 000010
【図９】
2019520763.tif 000011
【図１０】
2019520763.tif 000012
【図１１】
2019520763.tif 000013
【図１２】
2019520763.tif 000014
【手続補正書】
【提出日】平成31年1月4日(2019.1.4)
【手続補正１】
【補正対象書類名】特許請求の範囲
【補正対象項目名】全文
【補正方法】変更
【補正の内容】
【特許請求の範囲】
【請求項１】
スライス選択制御機能エンティティが、スライス選択ポリシー、ユーザ加入情報、ネットワークスライス選択支援パラメータ、およびユーザコンテキストのうち１つまたは複数を取得するステップと、
前記スライス選択制御機能エンティティが、スライス選択ポリシー、ユーザ加入情報、ネットワークスライス選択支援パラメータおよびユーザコンテキストのうち１つまたは複数に基づいて、ネットワークスライス選択情報を決定し、決定された前記ネットワークスライス選択情報をスライスルーティング機能エンティティまたはアクセスネットワーク側デバイスに送信することにより、前記スライスルーティング機能エンティティまたはアクセスネットワーク側デバイスによってシグナリングまたはデータルーティングを実行するステップと、を含む
ことを特徴とするネットワークスライス選択方法。
【請求項２】
請求項１に記載のネットワークスライス選択方法において、
前記スライス選択制御機能エンティティがネットワークスライス選択支援パラメータおよび/またはユーザコンテキストを取得するとは、前記スライス選択制御機能エンティティがスライスルーティング機能エンティティまたはアクセスネットワークによって送信された、ネットワークスライス選択支援パラメータおよび/またはユーザコンテキストが添付された付着要求を受信することであり、
前記スライス選択制御機能エンティティがスライス選択ポリシーを取得するとは、前記スライス選択制御機能エンティティが第５世代移動通信網５Ｇポリシーネットワーク機能エンティティからスライス選択ポリシーを取得することであり
前記スライス選択制御機能エンティティがユーザ加入情報を取得するとは、前記スライス選択制御機能エンティティが加入データベースからユーザ加入情報を取得することである
ことを特徴とするネットワークスライス選択方法。
【請求項３】
請求項１あるいは２に記載のネットワークスライス選択方法において、
前記スライスルーティング機能エンティティは、アクセスネットワーク側、コアネットワーク側、またはコアネットワークとアクセスネットワークとの間に配置されるか、あるいはスライス選択制御機能エンティティと結合されており、前記スライス選択制御機能エンティティは、アクセスネットワークまたはコアネットワークに配置されるか、またはアクセスネットワークおよびコアネットワークとは独立したネットワーク機能エンティティである
ことを特徴とするネットワークスライス選択方法。
【請求項４】
請求項１に記載のネットワークスライス選択方法において、
前記ネットワークスライス選択支援パラメータは、ネットワークスライス識別子、サービスタイプ、ネットワークスライス記述シンボル、端末利用タイプ、およびテナント識別子の１つまたは複数であり、
前記ネットワークスライス識別子は、ネットワークスライスタイプ識別子および/またはネットワークスライスインスタンス識別子を含む
ことを特徴とするネットワークスライス選択方法。
【請求項５】
請求項１に記載のネットワークスライス選択方法において、
前記ネットワークスライス選択情報は、ユーザによってアクセスされるネットワークスライスの制御プレーン機能の識別子または制御プレーン機能の集合の識別子であり、
前記ネットワークスライスの制御プレーン機能の識別子または制御プレーン機能の集合の識別子は、ネットワークスライスのネットワークスライス識別子に対応する
ことを特徴とするネットワークスライス選択方法。
【請求項６】
スライスルーティング機能エンティティまたはアクセスネットワーク側デバイスが、スライス選択ポリシー、ユーザ加入情報、ネットワークスライス選択支援パラメータおよびユーザコンテキストのうち１つまたは複数に基づいてスライス選択制御機能エンティティによって決定し送信されたネットワークスライス選択情報を受信するステップと、
前記スライスルーティング機能エンティティまたはアクセスネットワーク側デバイスが、ネットワークスライス選択情報に従ってシグナリングまたはデータルーティングを実行するステップと、を含む
ことを特徴とするネットワークスライス選択方法。
【請求項７】
請求項６に記載のネットワークスライス選択方法において、
前記スライスルーティング機能エンティティまたはアクセスネットワーク側デバイスが、ネットワークスライス識別子を端末に送信することにより、受信したネットワークスライス識別子に従って、記憶されたネットワークスライス識別子を前記端末によって更新するステップをさらに含む
ことを特徴とするネットワークスライス選択方法。
【請求項８】
請求項６に記載のネットワークスライス選択方法において、
前記ネットワークスライス選択支援パラメータおよび/またはユーザコンテキストは、受信した付着要求から前記スライス選択制御機能エンティティによって受信され、
前記スライス選択ポリシーは、第５世代移動通信網５Ｇポリシーネットワーク機能エンティティから前記スライス選択制御機能エンティティによって取得され、
前記ユーザ加入情報は、加入データベースから前記スライス選択制御機能エンティティによって取得される
ことを特徴とするネットワークスライス選択方法。
【請求項９】
請求項６に記載のネットワークスライス選択方法において、
前記スライスルーティング機能エンティティは、アクセスネットワーク側、コアネットワーク側、またはコアネットワークとアクセスネットワークとの間に配置されるか、あるいはスライス選択制御機能エンティティと結合されており、前記スライス選択制御機能エンティティは、アクセスネットワークまたはコアネットワークに配置されるか、またはアクセスネットワークおよびコアネットワークとは独立したネットワーク機能エンティティである
ことを特徴とするネットワークスライス選択方法。
【請求項１０】
請求項６に記載のネットワークスライス選択方法において、
前記ネットワークスライス選択支援パラメータは、ネットワークスライス識別子、サービスタイプ、ネットワークスライス記述シンボル、端末利用タイプ、およびテナント識別子の１つまたは複数であり、
前記ネットワークスライス識別子は、ネットワークスライスタイプ識別子および/またはネットワークスライスインスタンス識別子を含む
ことを特徴とするネットワークスライス選択方法。
【請求項１１】
請求項６に記載のネットワークスライス選択方法において、
前記ネットワークスライス選択情報は、ユーザによってアクセスされるネットワークスライスの制御プレーン機能の識別子または制御プレーン機能の集合の識別子であり、
前記ネットワークスライスの制御プレーン機能の識別子または制御プレーン機能の集合の識別子は、ネットワークスライスのネットワークスライス識別子に対応する
ことを特徴とするネットワークスライス選択方法。
【請求項１２】
スライス選択ポリシー、ユーザ加入情報、ネットワークスライス選択支援パラメータ、およびユーザコンテキストのうち１つまたは複数を取得する第１受信モジュールと、
前記スライス選択ポリシー、ユーザ加入情報、ネットワークスライス選択支援パラメータおよびユーザコンテキストのうち１つまたは複数に基づいて、ネットワークスライス選択情報を決定し、決定された前記ネットワークスライス選択情報をスライスルーティング機能エンティティに送信することにより、前記スライスルーティング機能エンティティによってシグナリングまたはデータルーティングを実行する第１決定モジュールと、を備える
ことを特徴とするスライス選択制御機能エンティティ。
【請求項１３】
ネットワークスライス選択装置において、
スライス選択ポリシー、ユーザ加入情報、ネットワークスライス選択支援パラメータおよびユーザコンテキストのうち１つまたは複数に基づいてスライス選択制御機能エンティティによって決定し送信されたネットワークスライス選択情報を受信する第２受信モジュールと、
前記ネットワークスライス選択情報に従ってシグナリングまたはデータルーティングを実行する第１処理モジュールと、を備える
ことを特徴とするネットワークスライス選択装置。
【請求項１４】
ローミングシナリに適用するネットワークスライス選択方法であって、
ネットワークスライスタイプ識別子およびネットワークスライスインスタンス識別子を含むネットワークスライス識別子を取得するステップと、
ネットワークスライスタイプ識別子に基づいて、対応する公衆地上モバイルネットワークＰＬＭＮを識別するステップと、
前記ネットワークスライスインスタンス識別子に基づいて、ユーザを前記ネットワークスライスインスタンス識別子に対応するネットワークスライスにアクセスさせるステップと、を含む
ことを特徴とするネットワークスライス選択方法。
【請求項１５】
ネットワークスライスタイプ識別子およびネットワークスライスインスタンス識別子を含むネットワークスライス識別子を取得する取得モジュールと、
前記ネットワークスライスタイプ識別子に基づいて、対応する公衆地上モバイルネットワークＰＬＭＮを識別する選択モジュールと、
前記ネットワークスライスインスタンス識別子に基づいて、ユーザを前記ネットワークスライスインスタンス識別子に対応するネットワークスライスにアクセスさせるアクセスモジュールと、を備える
ことを特徴とするネットワークスライス選択装置。
【国際調査報告】
2019520763.tif 000015
2019520763.tif 000016
2019520763.tif 000017
2019520763.tif 000018